(57)【特許請求の範囲】
【請求項１】
遊技媒体が投入される投入部と、
その投入部から投入された前記遊技媒体を機外に排出する排出用経路と、
その排出用経路に設けられ、前記排出用経路の上流側に付勢されて前記排出用経路を閉鎖可能かつ前記排出用経路を通過する前記遊技媒体の自重により動作して前記排出用経路を開放可能に構成される弁体と、
その弁体の上流に設けられ、回転可能に構成されると共に前記遊技媒体を１つずつ受け入れ可能な凹部を有し、回転することにより前記凹部に受け入れた前記遊技媒体を１つずつ前記弁体に送り出す回転体と、
前記弁体の動作を検出することにより前記排出用経路を通過する前記遊技媒体を検出する第３検出手段とを備え、
前記回転体と前記弁体とは、前記回転体の凹部に前記遊技媒体を受け入れた状態において、前記凹部に受け入れた前記遊技媒体が前記凹部と前記弁体とに当接可能な相対位置で配置されていることを特徴とする遊技機。
【請求項２】
前記投入部から投入された前記遊技媒体を検出する第１検出手段と、
その第１検出手段の下流に設けられ、前記投入部に投入された前記遊技媒体の流下経路を、前記遊技媒体を機内に取り込む取込用経路または前記排出用経路のいずれかの経路に切り替える経路切替手段と、
前記取込用経路を通過する前記遊技媒体を検出する第２検出手段と、
前記第１検出手段と前記第２検出手段と前記第３検出手段との検出結果に基づいて、前記投入部から投入された前記遊技媒体の数と前記取込用経路を通過して機内に取り込まれる前記遊技媒体の数と前記排出用経路を通過して機外に排出される前記遊技媒体の数との整合性を判断する判断手段とを備えていることを特徴とする請求項１記載の遊技機。
【発明の詳細な説明】
【技術分野】
【０００１】
本発明は、スロットマシン等に代表される遊技機に関するものである。
【背景技術】
【０００２】
特許文献１には、遊技機に投入された遊技媒体としてのコインを規定のコイン（遊技機での遊技を行うための遊技価値を有するコイン）と規定外のコインとに選別し、規定のコインが投入された場合には、そのコインを検出して機内へのコインの取り込みを認識する一方、規定のコインよりも小径の規定外のコインが投入された場合には、そのコインを排出用経路を介して機外に排出するコインセレクタが開示されている。
【先行技術文献】
【特許文献】
【０００３】
【特許文献１】特開２００９−５０６７８号公報
【発明の概要】
【発明が解決しようとする課題】
【０００４】
しかしながら、上述したようなコインセレクタを有する遊技機では、機内への取り込みが認識されたコインを針金などで排出用経路に誘導して不正に機外に取り出す不正行為が行われるという問題点があった。
【０００５】
本発明は、上記例示した問題点等を解決するためになされたものであり、機内への取り込みが認識された遊技媒体を不正に機外に取り出す不正行為を抑制することができる遊技機を提供することを目的としている。
【課題を解決するための手段】
【０００６】
この目的を達成するために、請求項１記載の遊技機は、遊技媒体が投入される投入部と、その投入部から投入された前記遊技媒体を機外に排出する排出用経路と、その排出用経路に設けられ、前記排出用経路の上流側に付勢されて前記排出用経路を閉鎖可能かつ前記排出用経路を通過する前記遊技媒体の自重により動作して前記排出用経路を開放可能に構成される弁体と、その弁体の上流に設けられ、回転可能に構成されると共に前記遊技媒体を１つずつ受け入れ可能な凹部を有し、回転することにより前記凹部に受け入れた前記遊技媒体を１つずつ前記弁体に送り出す回転体と、前記弁体の動作を検出することにより前記排出用経路を通過する前記遊技媒体を検出する第３検出手段とを備え、前記回転体と前記弁体とは、前記回転体の凹部に前記遊技媒体を受け入れた状態において、前記凹部に受け入れた前記遊技媒体が前記凹部と前記弁体とに当接可能な相対位置で配置されている。
【０００７】
請求項２記載の遊技機は、請求項１記載の遊技機において、前記投入部から投入された前記遊技媒体を検出する第１検出手段と、その第１検出手段の下流に設けられ、前記投入部に投入された前記遊技媒体の流下経路を、前記遊技媒体を機内に取り込む取込用経路または前記排出用経路のいずれかの経路に切り替える経路切替手段と、前記取込用経路を通過する前記遊技媒体を検出する第２検出手段と、前記第１検出手段と前記第２検出手段と前記第３検出手段との検出結果に基づいて、前記投入部から投入された前記遊技媒体の数と前記取込用経路を通過して機内に取り込まれる前記遊技媒体の数と前記排出用経路を通過して機外に排出される前記遊技媒体の数との整合性を判断する判断手段とを備えている。
【発明の効果】
【００１２】
請求項１記載の遊技機によれば、排出用経路を閉鎖する弁体を備えているので、排出用経路への針金などの挿入を困難として、機内に対して行われる不正行為（例えば、取込用経路に導かれた遊技媒体を針金などで排出用経路に誘導して不正に機外に取り出す不正行為）を防止することができるという効果がある。また、第３検出手段は、弁体の動作を検出することにより排出用経路を通過する遊技媒体を検出可能に構成されているので、弁体によって排出用経路を通過する遊技媒体の勢いを減じて、排出用経路を通過する遊技媒体の検出漏れを抑制することができ、第３検出手段による遊技媒体の検出不良を低減することができるという効果がある。更に、弁体は排出用経路の上流側に付勢されて排出用経路を閉鎖する一方、排出用経路を通過する遊技媒体の自重により動作して排出用経路を開放可能に構成されているので、１の遊技媒体が弁体を通過する毎に、弁体が排出用経路を１度だけ開閉する。これにより、遊技媒体を１つずつ確実に第３検出手段によって検出することができるという効果がある。
なお、「排出用経路を閉鎖可能」とは、排出用経路の経路断面の全てを閉塞する場合のみに限られず、弁体を格子状に構成することで、排出用経路の経路断面を部分的に塞ぐ場合を含む趣旨である。
【００１３】
さらに、遊技媒体を１つずつ受け入れ可能な凹部を有し、その凹部に受け入れた遊技媒体を１つずつ弁体に送り出す回転体を備えているので、遊技媒体が排出用経路を連なって通過する場合でも、第３検出手段によって遊技媒体を１つずつ確実に検出することができる。これにより、排出用経路を通過する遊技媒体の検出漏れを抑制して、第３検出手段による遊技媒体の検出不良を低減することができるという効果がある。
また、回転体と弁体とは、回転体の凹部に遊技媒体を受け入れた状態において、凹部に受け入れた遊技媒体が凹部と弁体とに当接可能な相対位置で配置されているので、弁体が排出用経路の上流側に付勢されていることと相まって、凹部に受け入れた遊技媒体が凹部と弁体との間に挟まれて回転体の回転を規制する。これにより、遊技媒体が弁体に到達する都度、回転体の回転を一時的に停止できるので、遊技媒体が排出用経路に連なって存在する状態であっても、遊技媒体を１つずつ確実に弁体に送り出すことができるという効果がある。また、凹部と弁体との間に遊技媒体が挟まれるので、その遊技媒体に連なって排出用経路の後方に存在する遊技媒体の勢いも減じることができるという効果がある。

【００１４】
請求項２記載の遊技機によれば、請求項１記載の遊技機の奏する効果に加え、以下の効果を備える。即ち、投入部から投入された遊技媒体は第１検出手段によって検出された後、その第１検出手段の下流に設けられた経路切替手段によって取込用経路または排出用経路のいずれかの経路へと導かれる。そして、取込用経路を通過する遊技媒体は第２検出手段によって検出され、排出用経路を通過する遊技媒体は第３検出手段によって検出される。また、第１検出手段と第２検出手段と第３検出手段との検出結果に基づいて、投入部から投入された遊技媒体の数と取込用経路を通過して機内に取り込まれる遊技媒体の数と排出用経路を通過して機外に排出される遊技媒体の数との整合性が判断手段によって判断される。

【００１５】
ここで、投入部から投入された遊技媒体が経路切替手段によって取込用経路または排出用経路のいずれかの経路へと導かれ、正常に取込用経路または排出用経路を通過した場合には、第２検出手段または第３検出手段のいずれか一方によって遊技媒体が検出される。これに対し、経路切替手段によって遊技媒体が取込用経路に導かれ、取込用経路を通過する遊技媒体が第２検出手段によって検出された後、即ち、機内への遊技媒体の取り込みが認識された後、取込用経路に導かれた遊技媒体を針金などで排出用経路に誘導して不正に機外に取り出した場合には、排出用経路を通過する遊技媒体が第３検出手段によって検出され、第２検出手段および第３検出手段の両方によって遊技媒体が検出される。従って、この場合には、判断手段によって判断される整合性、即ち、投入部から投入された遊技媒体の数と取込用経路を通過して機内に取り込まれる遊技媒体の数と排出用経路を通過して機外に排出される遊技媒体の数との整合性に矛盾が生じる。よって、取込用経路に導かれた遊技媒体を不正に機外に取り出す不正行為を発見することができる。これにより、かかる不正行為を抑制することができるという効果がある。


【図面の簡単な説明】
【００２０】
【図１】前面扉を閉じた状態のスロットマシンの斜視図である。
【図２】前面扉を開いた状態のスロットマシンの斜視図である。
【図３】前面扉の背面図である。
【図４】筐体の正面図である。
【図５】図３のＶで示す部分を拡大した前面扉の部分拡大背面図である。
【図６】図５のＶＩで示す部分を拡大した排出用通路の部分拡大斜視図である。
【図７】図６のＶＩＩ−ＶＩＩ線における排出用通路の断面図である。
【図８】排出用通路の背面斜視図である。
【図９】（ａ）は、回転体の正面図であり、（ｂ）は、図９（ａ）のＩＸｂ−ＩＸｂ線における回転体の断面図である。
【図１０】図８のＸで示す部分を拡大した排出用通路の部分拡大背面図である。
【図１１】スロットマシンの電気的構成を示すブロック図である。
【図１２】ＮＭＩ割込み処理を示すフローチャートである。
【図１３】タイマ割込み処理を示すフローチャートである。
【図１４】停電時処理を示すフローチャートである。
【図１５】投入判定処理を示すフローチャートである。
【図１６】検出信号判定処理を示すフローチャートである。
【図１７】メイン処理を示すフローチャートである。
【図１８】通常処理を示すフローチャートである。
【図１９】抽選処理を示すフローチャートである。
【図２０】リール制御処理を示すフローチャートである。
【図２１】メダル払出処理を示すフローチャートである。
【発明を実施するための形態】
【００２１】
以下、本発明の実施形態について、添付図面を参照して説明する。以下では、本発明を遊技機の一種である回胴式遊技機、具体的にはスロットマシン１０に適用した場合の一実施形態について説明する。図１はスロットマシン１０の前面扉１２を閉じた状態の斜視図、図２はスロットマシン１０の前面扉１２を開いた状態の斜視図、図３は前面扉１２の背面図、図４は筐体１１の正面図である。
【００２２】
図１から図４に示すように、スロットマシン１０は、その外殻を形成する筐体１１を備えている。筐体１１は、木製のパネルを組み合わせて、全体として前面を開放した箱状に形成されており、遊技ホールへの設置の際にいわゆる島設備に対し釘を打ち付ける等して取り付けられる。尚、筐体１１は木製のパネルによって構成する以外に、合成樹脂製パネル又は金属製パネルによって構成してもよいし、合成樹脂材料又は金属材料によって一体の箱状に形成することによって構成してもよい。
【００２３】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。
【００２４】
また、前面扉１２の開閉軸の反対側には、その裏面に施錠装置２０が設けられ、前面扉１２は、その施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。キーシリンダ２０が設けられる位置は前面扉１２の中でも肉厚の薄い上部位置とされており、その結果、全長の短い汎用性のあるキーシリンダ２１を採用することができる。なお、本実施形態では、キーシリンダ２１として、不正解錠防止機能の高いオムロック（登録商標）が用いられている。
【００２５】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００２６】
図２に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００２７】
ここで、リールユニット３１の構成を簡単に説明する。各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００２８】
各リール３２Ｌ，３２Ｍ，３２Ｒの外周面には、その長辺方向（周回方向）に、識別情報としての図柄が複数個、具体的には、各リール３２Ｌ，３２Ｍ，３２Ｒ毎に、２１個の図柄が等間隔に描かれており、そのうち連続する３個の図柄が表示窓２６Ｌ，２６Ｍ，２６Ｒの上段、中段、下段の位置にそれぞれ視認可能に構成されている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００２９】
遊技パネル２５の下方左側には、各リール３２Ｌ，３２Ｍ，３２Ｒの回転を開始させるために操作されるスタートレバー４１が設けられている。スタートレバー４１は、遊技者が遊技（ゲーム）を開始するときに手で押し操作（押される方向は限定されない）するレバーであり、所定数のメダルが投入されている状態でスタートレバー４１が操作されると、各リール３２Ｌ，３２Ｍ，３２Ｒの回転が一斉に（但し、同時である必要はない）開始されるようになっている。
【００３０】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。
【００３１】
表示窓２６Ｌ，２６Ｍ，２６Ｒの下方右側には、メダルを投入するためのメダル投入口４５が設けられている。メダル投入口４５から投入されたメダルは、前面扉１２の背面に設けられたセレクタ４６によって取込用通路４７か排出用通路４８のいずれかへ導かれる。そして、取込用通路４７に導かれたメダルは、筺体１の内部に収容されたホッパ装置５１へと導かれる。一方、排出用通路４８に導かれたメダルは、前面扉１２の前面下部に設けられたメダル排出口４９からメダル受け皿５０へと導かれ、遊技者に返還される。なお、メダル投入口４５からホッパ装置５１までのメダルの取込用経路およびメダル投入口４５からメダル受け皿５０までのメダルの排出用経路に設けられる各種構成については、図５から図１０を参照して後述する。
【００３２】
ホッパ装置５１は、メダルを貯留する貯留タンク５２と、メダルを遊技者に払い出す払出装置５３とにより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００３３】
メダル投入口４５の下方には、ボタン状の返却スイッチ５５が設けられている。メダル投入口４５に投入されたメダルがセレクタ４６内に詰まった状況下で返却スイッチ５５が操作された場合、セレクタ４６が機械的に連動して動作され、当該セレクタ４６内に詰まったメダルがメダル排出口４９から返却されるようになっている。
【００３４】
スタートレバー４１の左方には、精算スイッチ５９が設けられている。本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９が操作された場合、仮想メダルが現実のメダルとしてメダル排出口４９から払い出されるようになっている。
【００３５】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。
【００３６】
遊技パネル２５の表示窓２６Ｌ，２６Ｍ，２６Ｒ下方には、クレジットされている仮想メダル数を表示するクレジット表示部６０と、ボーナス状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００３７】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行したり、電源投入時やエラー発生時に、その状態を報知するためのものであり、各リール３２Ｌ，３２Ｍ，３２Ｒによる遊技を主表示部によるものと考えることができることから、本実施形態では補助表示部６５と称している。補助表示部６５の背面には、上部ランプ６３やスピーカ６４、補助表示部６５を駆動させるための表示制御装置８１が設けられている。
【００３８】
メダル受け皿５０の上方には、機種名や遊技に関わるキャラクタなどが表示された下段プレート６６が装着されている。また、メダル受け皿５０の左方には、手前側下方に反転可能な灰皿６９が設けられている。
【００３９】
筐体１１の内部においてホッパ装置５１の左方には、電源ボックス７０が設けられている。電源ボックス７０は、その内部に電源装置９１（図１１参照）を収容するとともに、電源スイッチ７１やリセットスイッチ７２、設定キー挿入孔７３などを備えている。電源スイッチ７１は、後述する主制御装置１０１を始めとする各部に電源を供給するための起動スイッチである。
【００４０】
リセットスイッチ７２は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ７２を押しながら電源スイッチ７１をオンすると、バックアップデータがリセット（初期化）されるようになっている。また、電源スイッチ７１がオンされている状態でリセットスイッチ７２を押した場合には、エラー状態がリセットされる。
【００４１】
設定キー挿入孔７３は、ホール管理者などがメダルの出玉調整を行うためのものである。すなわち、ホール管理者等が設定キーを設定キー挿入孔７３へ挿入して回転操作することにより、スロットマシン１０の設定状態（各入賞態様の当選確率の設定）を「設定１」から「設定６」まで変更できるようになっている。そして、設定状態が「設定１」に設定された場合、メダル払出枚数の期待値が最も低くなるように入賞態様（役）の抽選を行い、設定状態が「設定６」に設定された場合、メダル払出枚数の期待値が最も高くなるように入賞態様の抽選を行うように構成されている。なお、リセットスイッチ７２は、エラー状態をリセットする場合の他に、スロットマシン１０の設定状態を変更する場合にも操作される。
【００４２】
リールユニット３１の上方には、遊技を統括管理する主制御装置１０１が筐体１１に取り付けられている。詳細については、図１１を参照して後述するが、主制御装置１０１は、主たる制御を司るＭＰＵ（Ｍｉｃｒｏ  Ｐｒｏｃｅｓｓｉｎｇ  Ｕｎｉｔ）１０２、遊技プログラムを記憶したＲＯＭ（Ｒｅａｄ  Ｏｎｌｙ  Ｍｅｍｏｒｙ）１０５、遊技の進行に応じた必要なデータを一時的に記憶するＲＡＭ（Ｒａｎｄｏｍ  Ａｃｃｅｓｓ  Ｍｅｍｏｒｙ）１０６、各種機器との連絡をとるポート１０４、時間計数や同期を図る場合などに使用されるクロック回路１０３等を含む主基板を具備しており、主基板が透明樹脂材料等よりなる基板ボックスに収容されて構成されている。基板ボックスは、略直方体形状のボックスベースと該ボックスベースの開口部を覆うボックスカバーとを備えている。これらボックスベースとボックスカバーとは封印ユニットによって開封不能に連結され、これにより基板ボックスが封印されている。なお、ボックスベースとボックスカバーとを鍵部材を用いて開封不能に連結する構成としてもよい。
【００４３】
次に、図５から図１０を参照して、メダル投入口４５からホッパ装置５１までのメダルの取込用経路およびメダル投入口４５からメダル受け皿５０までのメダルの排出用経路に設けられる各種構成について説明する。図５は、図３のＶで示す部分を拡大した前面扉１２の部分拡大背面図である。
【００４４】
メダル投入口４５から投入されたメダルは、前面扉１２の背面に設けられた投入メダル検出センサ２０１によって検出された後、その投入メダル検出センサ２０１の下流側に設けられたセレクタ４６によって取込用通路４７か排出用通路４８のいずれかへ導かれる。投入メダル検出センサ２０１の検出信号は主制御装置１０１に出力され、主制御装置１０１は、投入メダル検出センサ２０１から入力される検出信号に基づいて、投入されたメダルの数をカウントする。
【００４５】
投入メダル検出センサ２０１は、一対の発光素子および受光素子（いずれも図示せず）を有するフォトインタラプタによって構成されている。投入メダル検出センサ２０１は、受光素子が発光素子からの光を受光している受光状態では「ＯＮ」信号を、投入されたメダルによって発光素子からの光が遮蔽され受光素子が光を受光できない遮光状態では「ＯＦＦ」信号を、それぞれ検出信号として主制御装置１０１に出力するように構成されている。即ち、メダルが投入されていない状態では、投入メダル検出センサ２０１から主制御装置１０１に常時「ＯＮ」信号が出力され、メダルが投入されると、投入されたメダルが投入メダル検出センサ２０１を通過し終わるまでの間、投入メダル検出センサ２０１から主制御装置１０１に「ＯＦＦ」信号が出力される。これにより、投入メダル検出センサ２０１が取り外された場合や投入メダル検出センサ２０１の電気配線が切断された場合には、メダルが投入されていないにも関わらず、投入メダル検出センサ２０１から主制御装置１０１に常時「ＯＦＦ」信号が出力されるので、投入メダル検出センサ２０１に対する不正行為を早期に発見することができる。その結果、投入メダル検出センサ２０１に不正を施して、取込用通路４７に導かれたメダルを糸や針金などでメダル投入口４５から不正に取り出す不正行為を抑制することができる。
【００４６】
セレクタ４６には、通路切替ソレノイド４６ａが設けられており、その通路切替ソレノイド４６ａの非励磁時にはメダルが排出用通路４８側に導かれ、通路切替ソレノイド４６ａの励磁時にはメダルが取込用通路４７側に導かれるように構成されている。そして、取込用通路４７に導かれたメダルは、ホッパ装置５１へと導かれる一方、排出用通路４８に導かれたメダルは、メダル受け皿５０へと導かれ、遊技者に返還される。なお、通路切替ソレノイド４６ａによってメダルが排出用通路４８側に導かれる条件としては、例えば、クレジットされている仮想メダルが最大値（メダル５０枚分）の状態で更にメダルが投入された場合や、リール３２Ｌ，３２Ｍ，３２Ｒが回転している状態でメダルが投入された場合などが挙げられる。
【００４７】
また、セレクタ４６には、投入されたメダルを規定のメダル（スロットマシン１０での遊技を行うための遊技価値を有するメダル）と規定外のメダルとに選別するべく、規定のメダルよりも小径のメダルのみが通過可能な排出孔４６ｂが設けられており、規定のメダルよりも小径の規定外のメダルが投入された場合には、そのメダルが排出孔４６ｂから排出用通路４８に排出されるように構成されている。但し、投入されたメダルを規定のメダルと規定外のメダルとに選別する方法としては、必ずしもこれに限られるものではなく、例えば、通路切替ソレノイド４６ａが励磁状態にあっても、規定外のメダルが投入された場合には、取込用通路４７へメダルを導く案内通路（図示せず）からメダルが脱落して、排出用通路４８に排出されるように構成しても良い。
【００４８】
取込用通路４７には、その取込用通路４７を通過するメダルを検出する第１取込メダル検出センサ２０２及び第２取込メダル検出センサ２０３が設けられている。各取込メダル検出センサ２０２，２０３の検出信号は主制御装置１０１に出力され、主制御装置１０１は、各取込メダル検出センサ２０２，２０３から入力される検出信号に基づいて、ホッパ装置５１に取り込まれるメダルの数をカウントする。
【００４９】
各取込メダル検出センサ２０２，２０３は、一対の発光素子および受光素子（いずれも図示せず）を有するフォトインタラプタによって構成されている。各取込メダル検出センサ２０２，２０３は、取込用通路４７を通過する１枚のメダルを同時に検出し得る程度に近接した位置で、それぞれ取込用通路４７の上流側と下流側とに並設されている。各取込メダル検出センサ２０２，２０３は、受光素子が発光素子からの光を受光している受光状態では「ＯＮ」信号を、取込用通路４７を通過するメダルによって発光素子からの光が遮蔽され受光素子が光を受光できない遮光状態では「ＯＦＦ」信号を、それぞれ検出信号として主制御装置１０１に出力するように構成されている。即ち、メダルが取込用通路４７を通過していない状態では、各取込メダル検出センサ２０２，２０３から主制御装置１０１に常時「ＯＮ」信号が出力され、メダルが取込用通路４７を通過すると、取込用通路４７を通過するメダルが各取込メダル検出センサ２０２，２０３を通過し終わるまでの間、各取込メダル検出センサ２０２，２０３から主制御装置１０１に「ＯＦＦ」信号が出力される。
【００５０】
投入されたメダルがセレクタ４６によって取込用通路４７側に導かれると、そのメダルは各取込メダル検出センサ２０２，２０３を通過する。このとき、まず、取込用通路４７の上流側に配設された第１取込メダル検出センサ２０２が先に遮光状態となって主制御装置１０１に「ＯＦＦ」信号を出力し、次に取込用通路４７の下流側に配設された第２取込検出センサ２０３が遮光状態となって主制御装置１０１に「ＯＦＦ」信号を出力して、２つの取込メダル検出センサ２０２，２０３によって同時にメダルが検出される。そして、更にメダルが取込用通路４７を下流側に流下していくと、取込用通路４７の上流側に配設された第１取込メダル検出センサ２０２が先に受光状態となって主制御装置１０１に「ＯＮ」信号を出力し、次に取込用通路４７の下流側に配設された第２取込メダル検出センサ２０３が受光状態となって主制御装置１０１に「ＯＮ」信号を出力する。
【００５１】
即ち、メダルが正常に取込用通路４７を通過した場合、各取込メダル検出センサ２０２，２０３から主制御装置１０１に出力される信号は、まず第１取込メダル検出センサ２０２が「ＯＦＦ」となり、次に第２取込メダル検出センサ２０３が「ＯＦＦ」となる。そして、各取込メダル検出センサ２０２，２０３が同時に「ＯＦＦ」となった後、第１取込メダル検出センサ２０２が「ＯＮ」となり、最後に第２取込メダル検出センサ２０３が「ＯＮ」となる。主制御装置１０１では、各取込メダル検出センサ２０２，２０３から出力される信号が、このようなタイミングで変化する場合にメダルが正常にホッパ５１に取り込まれたことを判断し、ホッパ装置５１に取り込まれるメダルの数をカウントする。
【００５２】
一方、メダルが取込用通路４７を通過中に詰まったり、取込用通路４７に導かれたメダルを糸や針金などでメダル投入口４５やメダル排出口４９（図１参照）から不正に取り出した場合は、２つの取込メダル検出センサ２０２，２０３から主制御装置１０１に出力される信号が、メダルが正常に取込用通路４７を通過した場合とは異なるタイミングで変化する。主制御装置１０１は、各取込メダル検出センサ２０２，２０３から出力される検出信号の変化を監視し、その変化が、メダルが正常に取込用通路４７を通過した場合の変化と異なる場合は、メダルの詰まりや、不正があったと判断して、エラーの発生をエラーコマンドによって後述する表示制御装置８１に通知する。表示制御装置８１では、主制御装置１０１からエラーの発生が通知されると、上部ランプ６３、スピーカ６４、補助表示部６５（いずれも図１参照）などから、エラーの発生を報知する。
【００５３】
排出用通路４８には、その排出用通路４８を通過するメダルを検出する排出メダル検出センサ２０４が設けられている。排出メダル検出センサ２０４の検出信号は主制御装置１０１に出力され、主制御装置１０１は、排出メダル検出センサ２０４から入力される検出信号に基づいてメダル受け皿５０に排出されるメダルの数をカウントする。
【００５４】
排出メダル検出センサ２０４は、一対の発光素子２０４ａ及び受光素子２０４ｂを有するフォトインタラプタによって構成されている。排出メダル検出センサ２０４は、受光素子２０４ｂが発光素子２０４ａからの光を受光している受光状態では「ＯＦＦ」信号を、排出用通路４８に設けられた弁体３０１によって発光素子２０４ａからの光が遮蔽され受光素子２０４ｂが光を受光できない遮光状態では「ＯＮ」信号を、それぞれ検出信号として主制御装置１０１に出力するように構成されている。
【００５５】
ここで、図６及び図７を参照して、弁体３０１について説明する。図６は、図５のＶＩで示す部分を拡大した排出用通路４８の部分拡大斜視図である。なお、図６では、排出メダル検出センサ２０４及び弁体３０１を排出用通路４８から分解した状態を示している。図７（ａ）及び図７（ｂ）は、図６のＶＩＩ−ＶＩＩ線における排出用通路４８の断面図であり、図７（ａ）は、メダル排出通路４８ｂが閉塞された状態であって排出メダル検出センサ２０４の受光状態を、図７（ｂ）は、メダル排出通路４８ｂが開放された状態であって排出メダル検出センサ２０４の遮光状態を、それぞれ示している。なお、図７（ｂ）では、メダルを二点鎖線で図示している。
【００５６】
図６に示すように、排出用通路４８の最下部であってホッパ装置５１からのメダルの排出口となる開口４８ａよりも下流側には、排出用通路４８内に形成されたメダルの通路（以下「メダル排出通路」と称す）４８ｂ（図７（ａ）及び図７（ｂ）参照）を開閉する弁体３０１が設けられている。弁体３０１は、メダル排出通路４８ｂを閉塞可能な平板状に形成されており、その一側面に沿って支軸３０１ａが設けられている。この弁体３０１は、排出用通路４８に開口形成された挿入口４８ｃから排出用通路４８内に挿入されると共に、かかる挿入口４８ｃに支軸３０１ａが水平に支持されることにより、排出用通路４８に対して支軸３０１ａを中心として垂直方向へ揺動可能に取り付けられており、その揺動によって、メダル排出通路４８ｂを開閉できるように構成されている。
【００５７】
このように、メダル排出通路４８ｂを開閉する弁体３０１を設けることで、その弁体３０１によってメダル排出通路４８ｂを閉塞することにより、メダル排出口４９（図１参照）からメダル排出通路４８ｂへの針金などの挿入を困難として、スロットマシン１０の機内に対して行われる不正行為（例えば、取込用通路４７に導かれたメダルを針金などでメダル排出口４９から不正に取り出す不正行為）を抑制することができる。また、本実施の形態では、弁体３０１は、ホッパ装置５１からのメダルの排出口となる開口４８ａよりも下流側に設けられているので、メダルを遊技者に払い出すホッパ装置５１に対する不正行為（例えば、ホッパ装置５１を針金などで操作してメダルを不正に払い出す不正行為）も防止することができる。
【００５８】
図７（ａ）に示すように、弁体３０１は、その上面が排出用通路４８に当接することによって水平姿勢よりもメダル排出通路４８ｂの上流側への揺動が規制されると共に、支軸３０１ａに取り付けられたバネ３０２（図６参照）によってメダル排出通路４８ｂの上流側に付勢されており、通常は（バネ３０２の付勢力に抗して外力が付与されない限りは）水平姿勢に保持されて、メダル排出通路４８ｂを閉塞するように構成されている。
【００５９】
このように、メダル排出通路４８ｂを閉塞した状態からメダル排出通路４８ｂの上流側への弁体３０１の揺動が規制されるように構成することで、メダル排出口４９からメダル排出通路４８ｂに針金などを押し入れることを不可能にして、メダル排出通路４８ｂへの針金などの挿入を困難とすることができる。
【００６０】
弁体３０１には、突起部３０１ｂが設けられており、弁体３０１が水平姿勢にある場合、即ち、メダル排出通路４８ｂが閉塞された状態では、排出メダル検出センサ２０４の発光素子２０４ａと受光素子２０４ｂとの間に突起部３０１ｂが介在して、発光素子２０４ａからの光が遮蔽される。
【００６１】
バネ３０２の付勢力は、メダルの自重よりも小さく設定されており、メダル排出通路４８ｂを流下するメダルが弁体３０１に到達した場合には、図７（ｂ）に示すように、メダルの自重によって弁体３０１がメダル排出通路４８ｂの下流側に揺動して、メダル排出通路４８ｂが開放されるように構成されている。
【００６２】
弁体３０１がメダル排出通路４８ｂの下流側に揺動した場合、即ち、メダル排出通路４８ｂが開放された状態では、突起部３０１ｂが排出メダル検出センサ２０４の発光素子２０４ａ及び受光素子２０４ｂよりも上方に移動して、受光素子２０４ｂが発光素子２０４ａからの光を受光することができる。
【００６３】
即ち、メダルが排出用通路４８を通過していない状態では、弁体３０１が水平姿勢にあるため、排出メダル検出センサ２０４が遮光状態となって、排出メダル検出センサ２０４から主制御装置１０１に常時「ＯＮ」信号が出力され、排出用通路４８を通過するメダルが弁体３０１に到達すると、メダルの自重によって弁体３０１が揺動するため、排出メダル検出センサ２０４が受光状態となって、メダルが弁体３０１を通過し終わるまでの間、排出メダル検出センサ２０４から主制御装置１０１に「ＯＦＦ」信号が出力される。これにより、排出メダル検出センサ２０４が取り外された場合や排出メダル検出センサ２０４の電気配線が切断された場合には、メダルが排出されていないにも関わらず、排出メダル検出センサ２０４から主制御装置１０１に常時「ＯＦＦ」信号が出力されるので、排出メダル検出センサ２０４に対する不正行為を早期に発見することができる。その結果、排出メダル検出センサ２０４に不正を施して、取込用通路４７に導かれたメダルを針金などでメダル排出口４９から不正に取り出す不正行為を抑制することができる。
【００６４】
このように、メダル排出通路４８ｂを開閉する弁体３０１の動作によって排出用通路４８を通過するメダルを検出することで、弁体３０２によって排出用通路４８を通過するメダルの勢いを減じて、排出用通路４８を通過するメダルの検出漏れを抑制することができるので、排出メダル検出センサ２０４によるメダルの検出不良を低減することができる。
【００６５】
弁体３０１の突起部３０１ｂは、弁体３０１が排出用通路４８に取り付けられた状態で排出用通路４８外に向けて突出されスロットマシン１０の内部に位置するように構成されており、排出メダル検出センサ２０４は、排出用通路４８外であってスロットマシン１０の内部に取り付けられている。これにより、メダル排出通路４８ｂからの排出メダル検出センサ２０４への接触を困難として、排出メダル検出センサ２０４の電気配線を不正に取り外したり排出メダル検出センサ２０４の電気配線を不正に切断する等の排出メダル検出センサ２０４に対する不正行為を抑制することができる。また、排出メダル検出センサ２０４の発光素子２０４ａと受光素子２０４ｂとの間に物体を挿入することで、排出メダル検出センサ２０４を強制的に遮光状態として、不正に弁体３０１を動作させて排出用通路４８を開放する行為も抑制することができる。その結果、排出メダル検出センサ２０４に不正を施して、取込用通路４７に導かれたメダルを針金などでメダル排出口４９から不正に取り出す不正行為を抑制することができる。
【００６６】
次に、図８及び図９を参照して、排出用通路４８に設けられる回転体４０１及びメダル排出通路４８ｂについて説明する。図８は、排出用通路４８の背面斜視図である。図９（ａ）は、回転体４０１の正面図であり、図９（ｂ）は、図９（ａ）のＩＸｂ−ＩＸｂ線における回転体４０１の断面図である。なお、図８及び図９では、メダルを二点鎖線で図示していると共に、図８では、メダル排出通路４８ｂにメダルが連なって存在する状態を図示している。
【００６７】
図８に示すように、排出用通路４８の内部であって弁体３０１の上方には、排出用通路４８を通過するメダルを１枚ずつ弁体３０１に送り出すための回転体４０１が設けられている。回転体４０１は、メダルよりも大径の円板状に形成されており、その中心を回転中心として回転可能にネジ４０２によって排出用通路４８に取り付けられている。
【００６８】
図９（ａ）に示すように、回転体４０１の前面には、メダルを１枚ずつ受け入れ可能な３つの凹部４０１ａが設けられており、それら凹部４０１ａが周方向にそれぞれ１２０度の中心角を隔てて等間隔に配置されている。凹部４０１ａは、所定サイズのメダル（図９（ａ）の二点鎖線）の外形形状に対応して、中心側へ向けて凹となる円弧状に形成されている。このように、凹部４０１ａを中心側へ向けて凹となる円弧状に形成することにより、凹部４０１ａに受け入れたメダルの勢いを放射状に分散して減じることができ、凹部４０１ａにメダルをスムーズに受け入れることができる。また、図９（ｂ）に示すように、凹部４０１ａは、メダルの厚みに対応した断面形状に形成されている。なお、回転体４０１には、必ずしも３つの凹部４０１ａを設ける必要はなく、１つ又は２つ、或いは、４つ以上の凹部４０１ａを設けても良い。
【００６９】
回転体４０１は、凹部４０１ａに受け入れたメダルの自重によって図９（ａ）の矢印Ａ方向へ回転することにより弁体３０１にメダルを送り出すものであり、凹部４０１ａの矢印Ａ方向側には、凹部４０１ａにメダルを導き入れるための導入部４０１ｂが設けられると共に、凹部４０１ａの反矢印Ａ方向側には、回転体４０１の外周部でメダルを支えるための凸部４０１ｃが設けられている。導入部４０１ｂ及び凸部４０１ｃは、外周側へ向けて凸となる円弧状に形成されており、導入部４０１ｂの円弧半径は、凸部４０１ｃの円弧半径よりも大きく構成されている。これにより、導入部４０１ｂによる凹部４０１ａへのメダルの受け入れをスムーズに行うことができると共に、隣り合う凹部４０１ａ間の限られた範囲内に導入部４０１ｂを設けることができる。
【００７０】
回転体４０１と弁体３０１とは、回転体４０１の凹部４０１ａにメダルを受け入れた状態において、凹部４０１ａに受け入れたメダルが凹部４０１ａと弁体３０１との両方に当接可能な相対位置で配置されている（図１０（ｂ）参照）。
【００７１】
図８に示すように、排出用通路４８の内部には、排出用通路４８を通過するメダルの通路となるメダル排出通路４８ｂが形成されている。メダル排出通路４８ｂは、メダルが１枚ずつ通過可能な断面形状に形成され、その下流部が回転体４０１の右上方に連通されている。メダル排出通路４８ｂには、ホッパ装置５１からのメダルの排出口となる開口４８ａが連通されており、ホッパ装置５１から排出されたメダルがメダル排出通路４８ｂに合流するように構成されている。
【００７２】
メダル排出通路４８ｂと回転体４０１とは、回転体４０１の凹部４０１ａの１つにメダルを受け入れた状態において、他の凹部４０１ａがメダル排出通路４８ｂの下流部に対向しないような相対位置で配置されている（図１０（ａ）及び図１０（ｂ）参照）。これにより、回転体４０１の凹部４０１ａに受け入れた１枚のメダルが弁体３０１に送り出されるまでの間、他の凹部４０１ａに新たなメダルを受け入れることがないので、メダル排出通路４８ｂにメダルが連なって存在する状態であっても、確実にメダルを１枚ずつ弁体３０１に送り出すことができる。
【００７３】
次に、図１０を参照して、回転体４０１による弁体３０１へのメダルの送り出し動作について説明する。図１０（ａ）から図１０（ｄ）は、図８のＸで示す部分を拡大した排出用通路４８の部分拡大背面図であり、回転体４０１によって弁体３０１にメダルを送り出す様子を時系列に示している。なお、図１０（ａ）から図１０（ｄ）では、メダルを二点鎖線で図示していると共に、メダル排出通路４８ｂにメダルが連なって存在する状態を図示している。
【００７４】
まず、図１０（ａ）に示すように、メダル排出通路４８ｂの下流部に回転体４０１の凹部４０１ａの１つが対向すると、メダル排出通路４８ｂの最も下流側に存在するメダルが凹部４０１ａに受け入れられる。図１０（ａ）に示す状態から、凹部４０１ａに受け入れたメダルの自重によって回転体４０１が時計回りに回転すると、図１０（ｂ）に示すように、凹部４０１ａに受け入れたメダルが弁体３０１に到達する。この場合、上述したように、回転体４０１と弁体３０１とは、凹部４０１ａに受け入れたメダルが凹部４０１ａと弁体３０１との両方に当接可能な相対位置で配置されると共に、弁体３０１はバネ３０２によってメダル排出通路４８ｂの上流側に付勢されているので、凹部４０１ａに受け入れたメダルが凹部４０１ａと弁体３０１との間に挟まれて回転体４０１の回転を規制する。これにより、メダルが弁体３０１に到達する都度、回転体４０１の回転を一時的に停止できるので、メダル排出通路４８ｂにメダルが連なって存在する状態であっても、メダルを１枚ずつ確実に弁体３０１に送り出すことができる。また、凹部４０１ａと弁体３０１との間にメダルが挟まれるので、そのメダルに連なって排出用通路４８の後方に存在するメダルの勢いも減じることができる。
【００７５】
凹部４０１ａに受け入れたメダルが弁体３０１に到達すると、図１０（ｃ）に示すように、メダルの自重によって弁体３０１がメダル排出通路４８ｂの下流側に揺動し、凹部４０１ａに受け入れたメダルが弁体３０１に送り出される。これにより、１枚のメダルの排出用通路４８の通過が排出メダル検出センサ２０４によって検出される。この場合、上述したように、弁体３０１はバネ３０２によってメダル排出通路４８ｂの上流側に付勢されているので、１枚のメダルが弁体３０１に送り出される毎に、弁体３０１がメダル排出通路４８ｂを１度だけ開閉するように揺動する。これにより、メダルを１枚ずつ確実に排出メダル検出センサ２０４によって検出することができる。また、上述したように、凹部４０１ａはメダルの厚みに対応した断面形状に形成されているので、メダルを常に一定の姿勢（起立した状態）で弁体３０１に送り出すことができる。これにより、弁体３０１の突起部３０１ｂの動作範囲を常に一定とすることができるので、排出メダル検出センサ２０４によってメダルを確実に検出することができ、排出用通路４８を通過するメダルの検出漏れを抑制して、排出メダル検出センサ２０４によるメダルの検出不良を低減することができる。このように、突起部３０１ｂの動作範囲を常に一定とすることは、弁体３０１が所定の範囲動作したことを検出する排出メダル検出センサ２０４の構成においては、特に有効となる。
【００７６】
なお、本実施の形態では、回転体４０１の凹部４０１ａと前面扉１２の背面とによってメダルが一定の姿勢（起立した状態）に保たれるが、回転体４０１の凹部４０１ａを断面溝状に形成して、回転体４０１自体によってメダルを一定の姿勢に保たせるように構成しても良い。
【００７７】
１枚のメダルが弁体３０１に送り出されると、図１０（ｄ）に示すように、メダル排出通路４８ｂの下流部に次の凹部４０１ａが対向し、メダル排出通路４８ｂの最も下流側に存在する新たなメダルが凹部４０１ａに受け入れられる。このように、回転体４０１による弁体３０１へのメダルの送り出しは、回転体４０１が時計回りに１２０度回転する毎に１枚ずつ行われ、回転体４０１が１回転する間に合計３枚のメダルが弁体３０１に１枚ずつ送り出される。
【００７８】
次に、スロットマシン１０の電気的構成について、図１１を参照して説明する。図１１は、スロットマシン１０の電気的構成を示すブロック図である。
【００７９】
主制御装置１０１は、スロットマシン１０に内蔵されるメイン基板としての機能を果たすものであり、演算処理手段であるＭＰＵ１０２を中心とするマイクロコンピュータが搭載されている。ＭＰＵ１０２には、電源装置９１の他に、所定周波数の矩形波を出力するクロック回路１０３や、入出力ポート１０４等が内部バスを介して接続されている。
【００８０】
主制御装置１０１の入力側には、リールユニット３１（各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５から投入されたメダルを検出する投入メダル検出センサ２０１、取込用通路４７を通過するメダルを検出する第１取込メダル検出センサ２０２及び第２取込メダル検出センサ２０３、排出用通路４８を通過するメダルを検出する排出メダル検出センサ２０４、ホッパ装置５１から払い出されるメダルを検出する払出検出センサ５１ａ、各クレジット投入スイッチ５６〜５８の操作を個別に検出するクレジット投入検出センサ５６ａ〜５８ａ、精算スイッチ５９の操作を検出する精算検出センサ５９ａ、リセットスイッチ７２の操作を検出するリセット検出センサ７２ａ、設定キー挿入孔７３に設定キーが挿入されたことを検出する設定キー検出センサ７３ａ等の各種センサが接続されており、これら各種センサからの信号は入出力ポート１０４を介してＭＰＵ１０２に出力されるように構成されている。
【００８１】
また、主制御装置１０１の入力側には、入出力ポート１０４を介して電源装置９１が接続されている。電源装置９１には、主制御装置１０１を始めとするスロットマシン１０の各電子機器に駆動電力を供給する電源部９１ａや停電監視回路９１ｂ等が搭載されている。
【００８２】
停電監視回路９１ｂは、電源の遮断状態を監視し、停電時はもとより、電源スイッチ７１による電源遮断時に停電信号を生成するためのものである。このため、停電監視回路９１ｂは、電源部９１ａから出力される例えば直流１２ボルトの安定化駆動電圧を監視し、この駆動電圧が例えば１０ボルト未満まで低下した場合に電源が遮断されたものと判断して、停電信号が出力されるように構成されている。停電信号はＭＰＵ１０２及び入出力ポート１０４のそれぞれに供給され、ＭＰＵ１０２では、この停電信号を認識することにより停電時処理が実行される。また、この停電信号は、表示制御装置８１にも供給されるように構成されている。
【００８３】
電源部９１ａは、出力電圧が例えば１０ボルト未満まで低下した場合でも、主制御装置１０１等の制御系において駆動電圧として使用される例えば５ボルトの安定化電圧が出力されるように構成されている。この安定化電圧が出力される時間としては、主制御装置１０１による停電時処理を実行するに十分な時間が確保されている。
【００８４】
主制御装置１０１の出力側には、リールユニット３１（各リール３２Ｌ，３２Ｍ，３２Ｒを回転させるためのステッピングモータ）、セレクタ４６に設けられた通路切替ソレノイド４６ａ、ホッパ装置５１、クレジット表示部６０、残払出枚数表示部６１、払出枚数表示部６２、表示制御装置８１、ホール管理装置（図示せず）等に情報を送信するための外部集中端子板１２１等が入出力ポート１０４を介して接続されている。
【００８５】
表示制御装置８１は、ランプ６３やスピーカ６４、補助表示部６５を駆動させるための制御装置であり、ＭＰＵ、画像コントローラ、各種メモリ等（いずれも図示せず）が実装された基板を備えている。そして、主制御装置１０１からの信号を受け取った上で、表示制御装置８１が独自にランプ６３、スピーカ６４、補助表示部６５を駆動制御する。従って、表示制御装置８１は、遊技を統括管理するメイン基板たる主制御装置１０１との関係では補助的な制御を実行するサブ基板となっている。なお、各表示部６０，６１，６２も表示制御装置８１によって駆動制御される構成としても良い。
【００８６】
ＭＰＵ１０２には、このＭＰＵ１０２によって実行される各種の制御プログラムや固定値データを記憶したＲＯＭ１０５、そのＲＯＭ１０５に記憶されている制御プログラムを実行するにあたって各種のデータを一時的に記憶する作業エリアを確保するためのＲＡＭ１０６が内蔵されている。また、ＭＰＵ１０２には、周知のように割込み回路を始めとしてタイマ回路、データ送受信回路などスロットマシン１０において必要な各種の処理回路や、クレジット枚数をカウントするクレジットカウンタなどの各種カウンタ（いずれも図示せず）も内蔵されている。
【００８７】
ＲＯＭ１０５及びＲＡＭ１０６は、記憶手段としてのメインメモリを構成するものであり、スロットマシン１０における各種処理を実行するためのプログラムは、制御プログラムの一部としてＲＯＭ１０５に記憶されている。ＲＡＭ１０６は、スロットマシン１０の電源が遮断された後においても電源装置９１からバックアップ電圧が供給されてデータを保持（バックアップ）できる構成となっており、ＲＡＭ１０６には、各種のデータを一時的に記憶するためのメモリやエリアの他に、バックアップエリアが設けられている。
【００８８】
バックアップエリアは、停電等の発生により電源が遮断された場合において、電源遮断時（電源スイッチ７１の操作による電源遮断を含む）のスタックポインタの値を記憶しておくためのエリアであり、停電解消時（電源スイッチ７１の操作による電源投入を含む）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。
【００８９】
また、ＲＡＭ１０６には、メダル数判定用タイマ１０６ａ、メダル認識用タイマ１０６ｂ、メダルカウンタ１０６ｃ、第１取込メダル検出センサフラグ１０６ｄ、検出信号用タイマ１０６ｅも設けられている。
【００９０】
メダル数判定用タイマ１０６ａは、後述する投入判定処理（図１５参照）において、Ｓ１７の処理の実行を待機するウエイト時間をカウントするためのタイマである。メダル投入口４５からのメダルの投入が投入メダル検出センサ２０１によって検出されると、メダル数判定用タイマ１０６ａの値が３３５５にセットされ、メダル数判定用タイマ１０６ａの値が０となるまでＳ１７の処理の実行が待機される。なお、メダル数判定用タイマ１０６ａの値は、投入判定処理を実行する毎に１ずつ減算される。
【００９１】
メダル認識用タイマ１０６ｂは、第１取込メダル検出センサ２０２によってメダルが検出されてから第２取込メダル検出センサ２０３によってメダルが検出されるまでの時間をカウントするためのタイマである。第１取込メダル検出センサ２０２によってメダルが検出されると、メダル認識用タイマ１０６ｂの値が２０２にセットされ、第２取込メダル検出センサ２０３によってメダルが検出されると、その検出までの時間がメダル認識用タイマ１０６ｂの値に基づいて認識される。なお、メダル認識用タイマ１０６ｂの値は、投入判定処理（図１５参照）を実行する毎に１ずつ減算される。
【００９２】
メダルカウンタ１０６ｃは、投入メダル検出センサ２０１、第１取込メダル検出センサ２０２及び第２取込メダル検出センサ２０３、排出メダル検出センサ２０４によって検出されたメダルの数を記憶するためのカウンタである。投入メダル検出センサ２０１によってメダルが検出されると、メダルカウンタ１０６ｃの値が１カウントアップされ、第１取込メダル検出センサ２０２及び第２取込メダル検出センサ２０３、排出メダル検出センサ２０４によってメダルが検出されると、メダルカウンタ１０６ｃの値が１カウントダウンされる。
【００９３】
第１取込メダル検出センサフラグ１０６ｄは、第１取込メダル検出センサ２０２によるメダルの検出が行われた状態であるかを示すフラグである。なお、本実施形態では、第１取込メダル検出センサフラグ１０６ｄがオンであれば、第１取込メダル検出センサ２０２によるメダルの検出が行われた状態であり、第１取込メダル検出センサフラグ１０６ｄがオフであれば、第１取込メダル検出センサ２０２によるメダルの検出は行われていない状態である。
【００９４】
検出信号用タイマ１０６ｅは、排出メダル検出センサ２０４の検出信号がＯＦＦのままである時間をカウントするためのタイマである。排出メダル検出センサ２０４の検出信号がＯＦＦのままである時間は、排出信号用タイマ１０６ｅの値に基づいて認識される。なお、検出信号用タイマ１０６ｅの値は、排出メダル検出センサ２０４の検出信号がＯＮからＯＦＦに変化すると０クリアされ、後述する検出信号判定処理（図１６参照）において、排出メダル検出センサ２０４の検出信号がＯＦＦであると１ずつ加算される。
【００９５】
ＭＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるように構成されている。
【００９６】
続いて、主制御装置１０１のＭＰＵ１０２により実行される各制御処理を図１２から図２１のフローチャートを参照しながら説明する。かかるＭＰＵ１０２の処理としては大別して、電源投入に伴い起動されるメイン処理と、定期的に（本実施の形態では１．４９ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【００９７】
図１２はＮＭＩ割込み処理の一例を示すフローチャートである。停電の発生などによって電源が遮断されると、電源装置９１の停電監視回路９１ｂでは停電信号が生成され、主制御装置１０１に対して出力される。ＮＭＩ端子を介して停電信号を受信した主制御装置１０１では、ＮＭＩ割込み処理が実行される。
【００９８】
ＮＭＩ割込み処理では、まずステップＳ１０１（以下、ステップＳ１０１を単に「Ｓ１０１」と略し、他のステップにおいても同様に略して表示する。）において、ＭＰＵ１０２内に設けられた使用レジスタのデータをＲＡＭ１０６内に設けられたバックアップエリアに退避させる（Ｓ１０１）。続いて、停電フラグをＲＡＭ１０６内に設けられた停電フラグ格納エリアにセットする（Ｓ１０２）。その後、ＲＡＭ１０６のバックアップエリアに退避させたデータを再びＭＰＵ１０２の使用レジスタに復帰させる（Ｓ１０３）。このＳ１０３の復帰処理を実行してＮＭＩ割込み処理が終了する。なお、ＭＰＵ１０２の使用レジスタのデータを破壊せずに停電フラグのセット処理が可能な場合には、バックアップエリアへの退避および復帰処理（Ｓ１０１、Ｓ１０３）を省くことができる。
【００９９】
図１３は、主制御装置１０１で定期的に実行されるタイマ割込み処理のフローチャートであり、主制御装置１０１のＭＰＵ１０２により例えば１．４９ｍｓｅｃごとにタイマ割込みが発生する。
【０１００】
先ず、Ｓ２０１に示すレジスタ退避処理では、後述する通常処理で使用しているＭＰＵ１０２内の全レジスタの値をＲＡＭ１０６のバックアップエリアに退避させる（Ｓ２０１）。その後、停電フラグがセットされているか否かを確認し（Ｓ２０２）、停電フラグがセットされているときに限って停電時処理を実行してから（Ｓ２０３）、処理をＳ２０４へ移行する。
【０１０１】
ここで、停電時処理（Ｓ２０３）について図１４を用いて説明する。この停電時処理（Ｓ２０３）は、タイマ割込み処理のうち特にレジスタ退避処理の直後に行われるため、その他の割込み処理を中断することなく実行できる。従って、例えば各種コマンドの送信処理中、スイッチの状態（オンオフ）の読み込み処理中などのように、それぞれの処理に割り込んでこの停電時処理が実行されることはなく、かかるタイミングで実行されることをも考慮した停電時処理のプログラムを作成する必要がなくなる。これにより停電時処理用の処理プログラムを簡略化してプログラム容量を削減できる。なお、このことは後述する復電時処理用の処理プログラムについても同様である。
【０１０２】
停電時処理（Ｓ２０３）では、まず、コマンド送信が終了しているか否かを判定する（Ｓ３０１）。送信が終了していない場合には（Ｓ３０１：Ｎｏ）、停電時処理（Ｓ２０３）を終了して図１３のタイマ割込み処理に復帰し、コマンド送信を終了させる。このように停電時処理の初期段階でコマンドの送信が完了しているか否かを判断し、送信が未完であるときには送信処理を優先し、単位コマンドの送信処理終了後に停電時処理（Ｓ２０３）を実行する構成とすることにより、コマンドの送信途中で停電時処理が実行されることをも考慮した停電時処理プログラムを構築する必要がなくなる。その結果停電時処理プログラムを簡略化してＲＯＭ１０５の小容量化を図ることができる。
【０１０３】
Ｓ３０１の処理においてコマンドの送信が完了している場合には（Ｓ３０１：Ｙｅｓ）、ＭＰＵ１０２のスタックポインタの値をＲＡＭ１０６内のバックアップエリアに保存する（Ｓ３０２）。その後、停止処理として後述するＲＡＭ判定値をクリアすると共に入出力ポート１０４における出力ポートの出力状態をクリアし、図示しない全てのアクチュエータをオフ状態にする（Ｓ３０３）。更に、ＲＡＭ判定値を算出し、バックアップエリアに保存する（Ｓ３０４）。ＲＡＭ判定値とは、具体的にはＲＡＭ１０６の作業領域アドレスにおけるチェックサムの２の補数である。ＲＡＭ判定値をバックアップエリアに保存することにより、ＲＡＭ１０６のチェックサムは０となる。ＲＡＭ１０６のチェックサムを０とすることにより、それ以後のＲＡＭアクセスを禁止する（Ｓ３０５）。その後は、電源が完全に遮断して処理が実行できなくなるのに備え、無限ループに入る。なお、例えばノイズ等に起因して停電フラグが誤ってセットされる場合を考慮し、無限ループに入るまでは停電信号が出力されているか否かを確認する。停電信号が出力されていなければ停電状態から復旧したこととなるため、ＲＡＭ１０６への書き込みを許可すると共に停電フラグをリセットし、図１３のタイマ割込み処理に復帰する。停電信号の出力が継続してなされていれば、そのまま無限ループに入る。
【０１０４】
なお、電源装置９１の電源部９１ａは、上述したＮＭＩ割込み処理及び停電時処理を実行するのに十分な時間、制御系の駆動電圧として使用される安定化電圧（５ボルト）の出力が保持されるように構成されている。本実施形態では、３０ｍｓｅｃの間、駆動電圧が出力され続けるようになっている。
【０１０５】
図１３に戻って、タイマ割込み処理について説明する。Ｓ２０２の処理にて停電フラグがセットされていない場合、または、停電時処理（Ｓ２０３）が終了した後には、Ｓ２０４以降の各種処理を行う。
【０１０６】
Ｓ２０４では、誤動作の発生を監視するためのウオッチドッグタイマの値を初期化するウオッチドッグタイマのクリア処理を行う（Ｓ２０４）。Ｓ２０５では、ＭＰＵ１０２自身に対して割込み許可を出す割込み終了宣言処理を行う（Ｓ２０５）。Ｓ２０６では、各リール３２Ｌ，３２Ｍ，３２Ｒを回転させるために、それぞれの回胴駆動モータであるステッピングモータを駆動させるステッピングモータ制御処理を行う（Ｓ２０６）。Ｓ２０７では、入出力ポート１０４に接続された各種センサ（図１１参照）の状態を監視するセンサ監視処理を行う（Ｓ２０７）。Ｓ２０８では、各カウンタやタイマの値を減算するタイマ演算処理を行う（Ｓ２０８）。Ｓ２０９では、メダルのベット数や、払い出し枚数をカウントした結果を外部集中端子板１２１へ出力するカウンタ処理を行う（Ｓ２０９）。
【０１０７】
Ｓ２１０では、表示制御装置８１へコマンドなどを送信するコマンド出力処理を行う（Ｓ２１０）。Ｓ２１１では、クレジット表示部６０、残払出枚数表示部６１および払出枚数表示部６２にそれぞれ表示されるセグメントデータを設定するセグメントデータ設定処理を行う（Ｓ２１１）。Ｓ２１２では、セグメントデータ設定処理で設定されたセグメントデータを各表示部６０〜６２に供給して該当する数字、記号などを表示するセグメントデータ表示処理を行う（Ｓ２１２）。Ｓ２１３では、入出力ポート１０４からＩ／Ｏ装置に対応するデータを出力するポート出力処理を行う（Ｓ２１３）。Ｓ２１４では、メダルの数の整合性を判定する投入判定処理を行う（Ｓ２１４）。Ｓ２１５では、先のＳ２０１にてバックアップエリアに退避させた各レジスタの値をそれぞれＭＰＵ１５１内の対応するレジスタに復帰させる（Ｓ２１５）。その後、次回のタイマ割込みを許可する割込み許可処理を行い（Ｓ２１６）、この一連のタイマ割込み処理を終了する。
【０１０８】
ここで、投入判定処理（Ｓ２１４）について図１５を用いて説明する。図１５は、投入判定処理（Ｓ２１４）を示すフローチャートである。
【０１０９】
投入判定処理（Ｓ２１４）は、各メダル検出センサ２０１，２０２，２０３，２０４の検出信号に基づいて、メダル投入口４５から投入されたメダルの数、取込用通路４７を通過するメダルの数、排出用通路４８を通過するメダルの数をそれぞれカウントし、それらカウントした各メダルの数に基づいて、スロットマシン１０に投入されたメダルの数と、ホッパ装置５１に取り込まれるメダルの数と、メダル受け皿５０に排出されるメダルの数との整合性を判断する処理である。
【０１１０】
投入判定処理（Ｓ２１４）では、まず、メダル数判定用タイマ１０６ａの値を１減算すると共に、メダル認識用タイマ１０６ｂの値を１減算する（Ｓ１）。なお、本実施形態では、上述したように、１．４９ｍｓｅｃ周期でタイマ割込み処理が実行されるので、メダル数判定用タイマ１０６ａ及びメダル認識用タイマ１０６ｂの各値は、１．４９ｍｓｅｃ経過毎にそれぞれ１ずつ減算される。
【０１１１】
続いて、投入メダル検出センサ２０１の検出信号がＯＮからＯＦＦに変化したかを判断し（Ｓ２）、投入メダル検出センサ２０１の検出信号がＯＮからＯＦＦに変化したと判断される場合には（Ｓ２：Ｙｅｓ）、メダル投入口４５からメダルが投入されたと判断されるので、メダルカウンタ１０６ｃの値を１加算すると共に、メダル数判定用タイマ１０６ａの値を３３５５にセットする（Ｓ３）。なお、上述したように、Ｓ１の処理では、１．４９ｍｓｅｃ経過毎にメダル数判定用タイマ１０６ａの値が１ずつ減算されるので、メダル数判定用タイマ１０６ａの値を３３５５にセットすると、メダル数判定用タイマ１０６ａの値が０となるのは、約５ｓｅｃ（＝３３５５×１．４９ｍｓｅｃ）経過後となる。
【０１１２】
一方、Ｓ２の処理の結果、投入メダル検出センサ２０１の検出信号はＯＮからＯＦＦに変化していないと判断される場合には（Ｓ２：Ｎｏ）、メダルは投入されていないと判断されるので、Ｓ３の処理をスキップしてＳ４の処理に移行する。
【０１１３】
続いて、第１取込メダル検出センサ２０２の検出信号がＯＮからＯＦＦに変化したかを判断し（Ｓ４）、第１取込メダル検出センサ２０２の検出信号がＯＮからＯＦＦに変化したと判断される場合には（Ｓ４：Ｙｅｓ）、第１取込メダル検出センサフラグ１０６ｃをオンすると共に、メダル認識用タイマ１０６ｂの値を２０２にセットする（Ｓ５）。なお、上述したように、Ｓ１の処理では、１．４９ｍｓｅｃ経過毎にメダル認識用タイマ１０６ｂの値が１ずつ減算されるので、メダル認識用タイマ１０６ｂの値を２０２にセットすると、メダル認識用タイマ１０６ｂの値が０となるのは、約３００ｍｓｅｃ（＝２０２×１．４９ｍｓｅｃ）経過後となる。
【０１１４】
一方、Ｓ４の処理の結果、第１取込メダル検出センサ２０２の検出信号はＯＮからＯＦＦに変化していないと判断される場合には（Ｓ４：Ｎｏ）、Ｓ５の処理をスキップしてＳ６の処理に移行する。続いて、第２取込メダル検出センサ２０３の検出信号がＯＮからＯＦＦに変化したかを判断し（Ｓ６）、第２取込メダル検出センサ２０３の検出信号がＯＮからＯＦＦに変化したと判断される場合には（Ｓ６：Ｙｅｓ）、第１取込メダル検出センサフラグ１０６ｄがオンであるかを判断する（Ｓ７）。その結果、第１取込メダル検出センサフラグ１０６ｄがオフであると判断される場合には（Ｓ７：Ｎｏ）、第１取込メダル検出センサ２０２によるメダルの検出が行われていない状態であるにも関わらず、第２取込メダル検出センサ２０３によってメダルが検出された、即ち、メダルが正常に取込用通路４７を通過していないと判断されるので、通過方向エラーの発生をエラーコマンドによって表示制御装置８１に通知して（Ｓ１１）、この投入判定処理（Ｓ２１４）を終了する。なお、表示制御装置８１では、主制御装置１０１から通過方向エラーの発生が通知されると、上部ランプ６３、スピーカ６４、補助表示部６５などから、通過方向エラーの発生を報知する。これにより、取込用通路４７に導かれたメダルを糸や針金などでメダル投入口４５やメダル排出口４９から不正に取り出す不正行為を抑制することができる。
【０１１５】
一方、Ｓ７の処理の結果、第１取込メダル検出センサフラグ１０６ｄがオンであると判断される場合には（Ｓ７：Ｙｅｓ）、メダル認識用タイマ１０６ｂの値が０よりも大きいかを判断し（Ｓ８）、メダル認識用タイマ１０６ｂの値が０以下であると判断される場合には（Ｓ８：Ｎｏ）、第１取込メダル検出センサ２０２によってメダルが検出されてから第２取込メダル検出センサ２０３によってメダルが検出されるまでに約３００ｍｓｅｃ以上経過した、即ち、メダルが正常に取込用通路４７を通過していないと判断されるので、通過時間エラーの発生をエラーコマンドによって表示制御装置８１に通知して（Ｓ１０）、この投入判定処理（Ｓ２１４）を終了する。なお、表示制御装置８１では、主制御装置１０１から通過時間エラーの発生が通知されると、上部ランプ６３、スピーカ６４、補助表示部６５などから、通過時間エラーの発生を報知する。これにより、糸などで吊るされたメダルを投入し、その後、取込用通路４７に導かれたメダルをメダル投入口４５から不正に取り出す不正行為を抑制することができる。なお、Ｓ５の処理でメダル認識用タイマ１０６ｂにセットする値は、必ずしも２０２に限られるものではなく、第１取込メダル検出センサ２０２によってメダルが検出されてから第２取込メダル検出センサ２０３によってメダルが検出されるまでに要する時間を考慮して設定することが好ましい。
【０１１６】
一方、Ｓ８の処理の結果、メダル認識用タイマ１０６ｂの値が０よりも大きいと判断される場合には（Ｓ８：Ｙｅｓ）、メダルが正常に取込用通路４７を通過した、即ち、メダルがホッパ装置５１に取り込まれたと判断されるので、メダルカウンタ１０６ｃの値を１減算すると共に、メダル認識用タイマ１０６ｂの値を０クリアして（Ｓ９）、Ｓ１２以降の処理を実行する。
【０１１７】
続いて、検出信号用タイマ１０６ｅの値が６７１よりも大きいかを判断する（Ｓ１２）。なお、検出信号用タイマ１０６ｅの値は、投入判定処理と並行してタイマ割込み処理にて行われる検出信号判定処理によって更新される。ここで、検出信号判定処理について、図１６のフローチャートを参照して説明する。図１６は、検出信号判定処理を示すフローチャートである。
【０１１８】
検出信号判定処理では、まず、排出メダル検出センサ２０４の検出信号がＯＮからＯＦＦに変化したかを判断し（Ｓ３０）、排出メダル検出センサ２０４の検出信号がＯＮからＯＦＦに変化したと判断される場合には（Ｓ３０：Ｙｅｓ）、検出信号用タイマ１０６ｅの値を０クリアして（Ｓ３１）、この検出信号判定処理を終了する。
【０１１９】
一方、Ｓ３０の処理の結果、排出メダル検出センサ２０４の検出信号はＯＮからＯＦＦに変化していないと判断される場合には（Ｓ３０：Ｎｏ）、排出メダル検出センサ２０４の検出信号がＯＦＦであるかを判断し（Ｓ３２）、排出メダル検出センサ２０４の検出信号がＯＦＦであると判断される場合には（Ｓ３２：Ｙｅｓ）、検出信号用タイマ１０６ｅの値を１加算して（Ｓ３３）、この検出信号判定処理を終了する。なお、本実施形態では、上述したように、１．４９ｍｓｅｃ周期でタイマ割込み処理が実行されるので、検出信号用タイマ１０６ｅの値は、１．４９ｍｓｅｃ経過毎に１ずつ加算される。
【０１２０】
一方、Ｓ３２の処理の結果、排出メダル検出センサ２０４の検出信号がＯＮであると判断される場合には（Ｓ３２：Ｎｏ）、検出信号用タイマ１０６ｅの値を０クリアして（Ｓ３４）、この検出信号判定処理を終了する。
【０１２１】
図１５に戻って説明する。上述したように、検出信号判定処理（図１６参照）では、排出メダル検出センサ２０４の検出信号がＯＦＦのままであると、１．４９ｍｓｅｃ経過毎に検出信号用タイマ１０６ｅの値が１ずつ加算されるので、Ｓ１２の処理において、検出信号用タイマ１０６ｅの値が６７１よりも大きいと判断される場合には（Ｓ１２：Ｙｅｓ）、排出メダル検出センサ２０４の検出信号が約１ｓｅｃ（＝６７１×１．４９ｍｓｅｃ）以上ＯＦＦのままであるということを意味する。
【０１２２】
続いて、Ｓ１２の処理の結果、検出信号用タイマ１０６ｅの値が６７１よりも大きいと判断される場合には（Ｓ１２：Ｙｅｓ）、排出メダル検出センサ２０４の検出信号が約１ｓｅｃ以上ＯＦＦのままであり、メダル排出口４９から排出用通路４８に針金などが挿入されて弁体３０１が開放されている可能性があると判断されるので、開放エラーの発生をエラーコマンドによって表示制御装置８１に通知して（Ｓ２１）、この投入判定処理（Ｓ２１４）を終了する。なお、表示制御装置８１では、主制御装置１０１から開放エラーの発生が通知されると、上部ランプ６３、スピーカ６４、補助表示部６５などから、開放エラーの発生を報知する。これにより、取込用通路４７に導かれたメダルを針金などでメダル排出口４９から不正に取り出す不正行為を抑制することができる。
【０１２３】
一方、Ｓ１２の処理の結果、検出信号用タイマ１０６ｅの値が６７１以下であると判断される場合には（Ｓ１２：Ｎｏ）、排出メダル検出センサ２０４の検出信号がＯＮからＯＦＦに変化したかを判断し（Ｓ１３）、排出メダル検出センサ２０４の検出信号がＯＮからＯＦＦに変化したかと判断される場合には（Ｓ１３：Ｙｅｓ）、後述するメダル払出処理（Ｓ５０６）によってメダルの払い出しが行われているかを判断する（Ｓ１４）。
【０１２４】
続いて、Ｓ１４の処理の結果、メダルの払い出しが行われていると判断される場合には（Ｓ１４：Ｙｅｓ）、払い出しに伴ってメダル受け皿５０にメダルが排出されたと判断されるので、Ｓ１５以降の処理をスキップしてこの投入判定処理を終了する。一方、Ｓ１４の処理の結果、メダルの払い出しは行われていないと判断される場合には（Ｓ１４：Ｎｏ）、投入されたメダルがメダル受け皿５０に排出されたと判断されるので、メダルカウンタ１０６ｃの値を１減算して（Ｓ１５）、Ｓ１６の処理に移行する。
【０１２５】
一方、Ｓ１３の処理の結果、排出メダル検出センサ２０４の検出信号はＯＮからＯＦＦに変化していないと判断される場合には（Ｓ１３：Ｎｏ）、Ｓ１４及びＳ１５の処理をスキップしてＳ１６の処理に移行する。
【０１２６】
続いて、メダル数判定用タイマ１０６ａの値が０であるかを判断し（Ｓ１６）、メダル数判定用タイマ１０６ａの値は０でないと判断される場合には（Ｓ１６：Ｎｏ）、メダル投入口４５から最後にメダルが投入されてから約５ｓｅｃ以上経過しておらず、最後に投入されたメダルが未だ排出メダル検出センサ２０４によって検出されていない可能性があると判断されるので、Ｓ１７以降の処理をスキップしてこの投入判定処理（Ｓ２１４）を終了する。なお、Ｓ３の処理でメダル数判定用タイマ１０６ａにセットする値は、必ずしも３３５５に限られるものではなく、投入メダル検出センサ２０１によってメダルが検出されてから排出メダル検出センサ２０４によってメダルが検出されるまでに要する時間を考慮して設定することが好ましい。
【０１２７】
一方、Ｓ１６の処理の結果、メダル数判定用タイマ１０６ａの値が０であると判断される場合には（Ｓ１６：Ｙｅｓ）、メダルカウンタ１０６ｃの値が０であるかを判断して（Ｓ１７）、メダルカウンタ１０６ｃの値が０であると判断される場合には（Ｓ１７：Ｙｅｓ）、スロットマシン１０に投入されたメダルの数と、ホッパ装置５１に取り込まれるメダルの数と、メダル受け皿５０に排出されるメダルの数との整合性に矛盾はないと判断されるので、この投入判定処理を終了する。
【０１２８】
一方、Ｓ１７の処理の結果、メダルカウンタ１０６ｃの値は０でないと判断される場合には（Ｓ１７：Ｎｏ）、メダルカウンタ１０６ｃの値が０よりも大きいかを判断して（Ｓ１８）、メダルカウンタ１０６ｃの値が０よりも大きいと判断される場合には（Ｓ１８：Ｙｅｓ）、ホッパ装置５１に取り込まれるメダルの数およびメダル受け皿５０に排出されるメダルの数の合算が、スロットマシン１０に投入されたメダルの数よりも少ないと判断されるので、飲み込みエラーの発生をエラーコマンドによって表示制御装置８１に通知して（Ｓ１９）、この投入判定処理（Ｓ２１４）を終了する。なお、表示制御装置８１では、主制御装置１０１から飲み込みエラーの発生が通知されると、上部ランプ６３、スピーカ６４、補助表示部６５などから、飲み込みエラーの発生を報知する。これにより、スロットマシン１０に投入されたメダルが正常に認識されずにホッパ装置５１に取り込まれること、いわゆるメダルの飲み込みが発生したことを報知して、遊技者に不利益を与えることを防止することができる。
【０１２９】
一方、Ｓ１８の処理の結果、メダルカウンタ１０６ｃの値が０よりも小さいと判断される場合には（Ｓ１８：Ｎｏ）、ホッパ装置５１に取り込まれるメダルの数およびメダル受け皿５０に排出されるメダルの数の合算が、スロットマシン１０に投入されたメダルの数よりも多いと判断されるので、取り出しエラーの発生をエラーコマンドによって表示制御装置８１に通知して（Ｓ２０）、この投入判定処理（Ｓ２１４）を終了する。なお、表示制御装置８１では、主制御装置１０１から取り出しエラーの発生が通知されると、上部ランプ６３、スピーカ６４、補助表示部６５などから、取り出しエラーの発生を報知する。これにより、取込用通路４７に導かれたメダルを針金などでメダル排出口４９から不正に取り出す不正行為を抑制することができる。
【０１３０】
図１７は電源投入後に実行される主制御装置１０１でのメイン処理を示すフローチャートである。メイン処理は、停電からの復旧や電源スイッチ７１のオン操作によって電源が投入された際に実行される。
【０１３１】
先ず、初期化処理として、スタックポインタの値をＭＰＵ１０２内に設定すると共に、割込み処理を許可する割込みモードを設定し、その後ＭＰＵ１０２内のレジスタ群や、Ｉ／Ｏ装置等に対する各種の設定などを行う（Ｓ４０１）。
【０１３２】
これらの初期化処理（Ｓ４０１）が終了すると、次にリセットスイッチ１２３がオン操作されているか否かを判定する（Ｓ４０２）。リセットスイッチ７２がオン操作されている場合には（Ｓ４０２：Ｙｅｓ）、ＲＡＭクリア処理としてＲＡＭ１０６に記憶されたデータを全てクリアする（Ｓ４０３）。
【０１３３】
Ｓ４０２にてリセットスイッチ７２が操作されていないことを確認した後（Ｓ４０２：Ｎｏ）、またはＲＡＭクリア処理（Ｓ４０３）を行った後には、設定キーが設定キー挿入孔７３に挿入され回転操作がされているか否かを判定する（Ｓ４０４）。設定キーが挿入され回転操作がされている場合には設定変更処理（Ｓ４０５）を行う。設定変更処理（Ｓ４０５）では、先ずＲＡＭ１０６に記憶されたデータを全てクリアし、その後に予め設定された６段階の設定状態（「設定１」〜「設定６」）のうちどの設定状態が選択されたかを判定した上で、選択された設定状態に応じた内部処理を実行する。
【０１３４】
Ｓ４０６では停電フラグがセットされているか否かを確認する（Ｓ４０６）。停電フラグがセットされていない、すなわち先のＳ４０３又はＳ４０５にてＲＡＭ１０６のデータがクリアされている場合には（Ｓ４０６：Ｎｏ）、後述する通常処理（Ｓ４０７）を実行する。
【０１３５】
Ｓ４０６において停電フラグがセットされた状態にあるときには（Ｓ４０６：Ｙｅｓ）、Ｓ４０８以降に示す復電処理に移行する。ここで、停電フラグがセットされた状態にあるということは、Ｓ４０３のＲＡＭクリア処理、Ｓ４０５の設定変更処理等のサブルーチン処理が全く実行されていない場合である。従って、ＲＡＭ１０６のデータは全く書き替えられていないこととなり、復電処理ではＲＡＭ１０６のデータなどが正常であるかどうかなどの確認処理が必要となる。
【０１３６】
そのためにまず、ＲＡＭ判定値が正常であるか否かを確認する（Ｓ４０８）。具体的には、ＲＡＭ１０６のチェックサムの値を調べ、その値が正常、つまりＲＡＭ判定値を加味したチェックサムの値が０か否かを確認する（Ｓ４０８）。ＲＡＭ判定値を加味したチェックサムの値が０である場合（Ｓ４０８：Ｙｅｓ）、ＲＡＭ１０６のデータは正常であると判定する。
【０１３７】
Ｓ４０８においてＲＡＭ判定値が異常である、つまりチェックサムの値が０でなかったときには（Ｓ４０８：Ｎｏ）、ＲＡＭ１０６のデータが破壊された可能性が高いため、ＲＡＭ１０６のデータを初期化するためにＳ４０３の処理へ移行し、ＲＡＭ初期化処理を行う。その後、Ｓ４０４以降の処理を行うが、Ｓ４０３の処理において、ＲＡＭ１０６が初期化されるため、次のＳ４０８の処理でＲＡＭ判定値が正常であると確認される（Ｓ４０８：Ｙｅｓ）。
【０１３８】
Ｓ４０８においてＲＡＭ判定値が正常であると判定した場合には、バックアップエリアに保存されたスタックポインタの値をＭＰＵ１０２のスタックポインタに書き込み、スタックの状態を電源が遮断される前の状態に復帰させる（Ｓ４１０）。次に、復電処理の実行を伝える復電コマンドを表示制御装置８１に送信する（Ｓ４１１）。その後、遊技状態として打ち止めおよび自動精算設定保存処理を行い（Ｓ４１２）、スタート検出センサ４１ａ等の各種センサの初期化を行う（Ｓ４１３）。
【０１３９】
以上の処理が終了した後には停電フラグをリセットし（Ｓ４１４）、電源遮断前の番地に戻る。具体的には、先に説明したタイマ割込み処理に復帰し、ウォッチドッグタイマクリア処理（Ｓ２０４）が実行されることとなる。
【０１４０】
次に、遊技に関わる主要な制御を行う通常処理（Ｓ４０７）について図１８のフローチャートに基づき説明する。
【０１４１】
通常処理（Ｓ４０７）においては、先ず、メダルがベットされているか否かを判定する（Ｓ５０１）。すなわち、クレジット投入スイッチ５６〜５８の操作により仮想メダルがベットされたか、又はメダル投入口４５よりメダルが投入されたか否かを判定するのである。
【０１４２】
Ｓ５０１の処理においてメダルがベットされていると判定された場合には（Ｓ５０１：Ｙｅｓ）、次にスタートレバー４１が操作されたか否かを判定する（Ｓ５０２）。Ｓ５０２の処理においてスタートレバー４１が操作されたと判定された場合には（Ｓ５０２：Ｙｅｓ）、メダル投入不許可処理を行う（Ｓ５０３）。具体的には、セレクタ４６の通路切替ソレノイド４６aを非励磁とし、仮にメダル投入口４５からメダルが投入されたとしても排出用通路４８を介して遊技者にかかるメダルが返却されるようにする。
【０１４３】
その後、抽選処理（Ｓ５０４）、リール制御処理（Ｓ５０５）、メダル払出処理（Ｓ５０６）、特別遊技状態に関する各種処理を行う特別遊技状態処理（Ｓ５０７）を順に実行し、更にメダル投入許可処理（Ｓ５０８）を行う。かかる処理では、セレクタ４６の通路切替ソレノイド４６aを励磁し、メダル投入口４５からメダルが投入された際に取込用通路４７へ導かれるようにする。以上の処理を行った後、Ｓ５０１に戻る。一方、Ｓ５０１の処理にてメダルがベットされていないと判定された場合（Ｓ５０１：Ｎｏ）、またはＳ５０２にてスタートレバー４１が操作されていないと判定された場合（Ｓ５０２：Ｎｏ）には、Ｓ５０１に戻って処理を繰り返す。
【０１４４】
次に、Ｓ５０４の抽選処理について、図１９のフローチャートに基づき説明する。抽選処理（Ｓ５０４）では、まず、スロットマシン１０の現在の設定状態やベットされたメダルの枚数、小役確率の高低等に基づき、当否決定用の乱数テーブルを選択する（Ｓ６０１）。ここで、スロットマシン１０の設定状態は図示しない設定キーを用いてセットされた「設定１」〜「設定６」のいずれかであり、「設定１」のときに役の当選確率が最も低い乱数テーブルが選択され、「設定６」のときに役の当選確率が最も高い乱数テーブルが選択される。また、ベットされたメダルの枚数は１〜３枚のいずれかであり、ベット枚数が多いほど役の当選確率が高くなるような乱数テーブルが選択される。例えば３枚ベットされたときの役の当選確率は、１枚ベットされたときの役の当選確率と比して３倍よりも高い確率となっている。さらに、小役確率については高低２種類存在し、現在の出玉率が所定の期待値を下回っているときには小役当選確率が高い乱数テーブルが選択され、所定の期待値を上回っているときには小役当選確率が低い乱数テーブルが選択される。なお、小役確率の乱数テーブルは１つに固定するものとしても良い。
【０１４５】
Ｓ６０２では、このようにして選択された乱数テーブルに、スタートレバー４１が操作されたときに乱数カウンタよりラッチした乱数を照らして役の抽選を行う（Ｓ６０２）。そして、いずれかの役に当選したか否かを判定し（Ｓ６０３）、いずれの役にも当選していない場合には（Ｓ６０３：Ｎｏ）そのまま本処理を終了する。いずれかの役に当選した場合には（Ｓ６０３：Ｙｅｓ）、その役に応じた当選フラグをセットし（Ｓ６０４）、図柄を揃えるべき有効ラインを決定する。Ｓ６０４の処理後、リール停止制御用のスベリテーブルを決定し（Ｓ６０５）、これをＲＡＭ１０６のスベリテーブル格納エリアに格納する。
【０１４６】
次に、Ｓ５０５のリール制御処理について、図２０のフローチャートに基づき説明する。リール制御処理（Ｓ５０５）では、先ずウエイト処理（Ｓ７０１）を行う。このウエイト処理（Ｓ７０１）は、前回のゲームにおいてリールの回転を開始した時点から所定のウエイト時間（例えば４．１秒）が経過するまで今回のゲームにおいてリールの回転を開始せずに待機する処理である。この処理は、一定時間中に行われるゲームの回数を制限して、一定時間中に消費されるメダルの枚数を制限するために設けられており、ウエイト時間が経過していれば直ちに各リール３２Ｌ，３２Ｍ，３２Ｒは回転開始され、一方、ウエイト時間が経過していなければ遊技者がメダルをベットしてスタートレバー４１を操作したとしても、各リール３２Ｌ，３２Ｍ，３２Ｒが回転しない。
【０１４７】
Ｓ７０１のウエイト処理の後、各リール３２Ｌ，３２Ｍ，３２Ｒの回転を開始させるために、ステッピングモータを駆動させるリール回転処理を行う（Ｓ７０２）。各リール３２Ｌ，３２Ｍ，３２Ｒの回転が開始されたら、各リール３２Ｌ，３２Ｍ，３２Ｒが回転開始してからの経過時間を計測するために、ＲＡＭ１０６のリール回転時間タイマに初期値を設定する（Ｓ７２０）。なお、リール回転時間タイマの値は、タイマ割込処理（図１３参照）のタイマ減算処理（Ｓ２０８）において減算されるものであり、本実施の形態では、例えば、リール回転タイマの初期値を３００秒後に「０」に更新される値を書き込み、その後のタイマ割込処理によって１ずつ減算して更新させる方法で行う。なお、公知の他の技術を使用して最大回転時間の計測を行うものとしても良い。
【０１４８】
その後、左リール３２Ｌが回転を開始してから所定のリール安定時間（例えば０．８秒）が経過したか否かを判定し（Ｓ７０３）、経過していない場合には（Ｓ７０３：Ｎｏ）、リール安定時間が経過するまで待機する（Ｓ７０３）。リール安定時間が経過した場合には（Ｓ７０３：Ｙｅｓ）Ｓ７０４へ処理を移行する。
【０１４９】
リール安定時間は、各リール３２Ｌ，３２Ｍ，３２Ｒが安定した回転速度に達するまで待機するために設けられた遅延タイマである。各リール３２Ｌ，３２Ｍ，３２Ｒは、ステッピングモータにより回転駆動されており、その始動時および停止時には大きなトルクが発生する。そのため、各リール３２Ｌ，３２Ｍ，３２Ｒの始動時に停止処理を行うと、ステッピングモータに大きな負荷がかかり寿命が低下してしまう場合がある。よって、リール安定時間を設けることにより、ステッピングモータの寿命が低下することを防止することができる。
【０１５０】
Ｓ７０４の処理では、リール回転時間タイマの値が０であるか判定される。即ち、各リール３２Ｌ，３２Ｍ，３２Ｒが回転開始しＳ７２０の処理において初期値が設定されてから所定時間（本実施の形態では３００秒）が経過したか、或いは、後述する１のリールが停止しＳ７２３の処理で初期値が設定されてから所定時間が経過したかが判定され、リール回転時間タイマの値が０であれば、各リール３２Ｌ，３２Ｍ，３２Ｒが回転開始してから所定時間が経過している、或いは、１のリールが停止してから所定時間が経過しているので、外部に所定時間が経過したことを示唆するために報知処理を行い（Ｓ７２１）、Ｓ７１０の処理へ移行する。
【０１５１】
報知処理では、遊技者に視覚的な認識をさせるために上部ランプ６３、補助表示部６５による報知を行ったり（表示出力手段による報知）、遊技者に聴覚的な認識をさせるためにスピーカ６４による報知を行う（音声出力手段による報知）。
【０１５２】
本実施の形態では、上部ランプ６３により報知を行う場合には、上部ランプ６３が消灯の状態から点灯又は点滅の状態へ切り替わり、補助表示部６５により報知を行う場合には、補助表示部６５に通常遊技に伴う表示がなされている状態から少なくとも１のリールが回転している状態が所定時間継続していることを示唆する表示がなされる状態へ切り替わり、スピーカ６４により報知を行う場合には、無音の状態から音声が出力された状態へ切り替わるものとする。即ち、報知処理は、各報知を行う装置の状態を第１の状態から第２の状態へ切り替えることで、少なくとも１のリールが回転している状態が所定時間継続していることを示唆する報知を行う。
【０１５３】
なお、報知処理では、上部ランプ６３や補助表示部６５、スピーカ６４のうち、いずれか１つにより報知を行うものとしても良いし、上部ランプ６３と補助表示部６５とスピーカ６４とを組み合わせて報知を行うものとしても良い。
【０１５４】
一方、Ｓ７０４の処理で判定した結果、リール回転時間タイマの値が０になっていなければ（Ｓ７０４：Ｎｏ）、各リール３２Ｌ，３２Ｍ，３２Ｒが回転開始してから所定時間を経過していな、或いは、１のリールが停止してから所定時間が経過していないので、報知処理（Ｓ７２１）を行わずにＳ７１０の処理へ移行する。
【０１５５】
Ｓ７１０の処理では、ストップスイッチ４２〜４４のいずれかが押されてリール３２Ｌ，３２Ｍ，３２Ｒの停止指令が発生したか否か、より具体的にはストップ検出センサ４２ａ〜４４ａからのオン信号を受信しているか否かを判定する。なお、本実施の形態では、左リール３２Ｌが回転を開始してからリール安定時間が経過するまでの期間を無効期間として設定しており、この無効期間内にストップスイッチ４２〜４４が押されても、ストップ検出センサ４２ａ〜４４ａからのオン信号を無効化する。
【０１５６】
Ｓ７１０の処理において、停止指令が発生していないと判定された場合には（Ｓ７１０：Ｎｏ）、Ｓ７０４の処理へ戻り、停止指令が発生するまで、リール回転タイマの値の確認（Ｓ７０４）、報知処理（Ｓ７２１）、停止指令が発生したか否かの確認（Ｓ７１０）を繰り返し行う。
【０１５７】
一方、Ｓ７１０の処理において、ストップスイッチ４２〜４４のいずれかが押されて停止指令が発生したと判定された場合には（Ｓ７１０：Ｙｅｓ）、リール停止処理を行う（Ｓ７１３）。このリール停止処理（Ｓ７１３）では、押されたストップスイッチに対応するリールを停止させるが、役の抽選において役に当選し、当選フラグがセット（Ｓ６０４）されている場合にはＲＡＭ１０６のスベリテーブル格納エリアに格納されたスベリテーブルを参照して、可能な限り当選した役が所定の有効ライン上に並ぶように制御する。
【０１５８】
ストップスイッチ４２〜４４が操作されリール３２Ｌ，３２Ｍ，３２Ｒが停止されると、各リール３２Ｌ，３２Ｍ，３２Ｒのうち少なくとも１のリールが停止表示されているので、報知が行われている場合に一旦報知を停止するために報知停止処理を行う（Ｓ７２２）。報知停止処理を行うのは、１のリールが停止表示されている場合は、遊技者がストップスイッチ４２〜４４を押してリール３２Ｌ，３２Ｍ，３２Ｒを停止させているので、その後、連続して他のストップスイッチ４２〜４４を操作することが考えられる。この場合に報知が継続して行われると、遊技者が他のストップスイッチ４２〜４４を押しているにも関わらず報知が行われるので、遊技者に対して不快感を与えてしまう。従って、遊技者に対して不快感を与えることを防止するために、報知停止処理が行われる。
【０１５９】
ここで、報知停止処理とは、上部ランプ６３により報知が行われていた場合には、上部ランプ６３が点灯又は点滅している状態から消灯の状態へ切り替えることであり、補助表示部６５により報知が行われていた場合には、少なくとも１のリールが回転している状態が所定時間継続していることを示唆する表示がなされる状態から通常遊技に伴う表示がなされている状態へ切り替えることであり、スピーカ６４により報知が行われていた場合には、音声が出力されている状態から無音の状態へ切り替えることである。即ち、報知停止処理は、各報知を行う装置の状態を元の状態に戻す（切り替える）ことで報知を停止する。なお、少なくとも１のリールが回転している状態が所定時間継続していないことが示唆されれば良いので、各報知を行う装置の状態を元に戻さずに他の状態へ切り替えるものとしても良い。
【０１６０】
報知停止処理が終わると、１のリールが停止されてからの所定時間を計測するために、リール回転時間タイマを初期値に設定する（Ｓ７２３）。具体的には、上述したように、３００秒後に「０」に更新される値を書き込む。よって、１のリールが停止される毎にリール回転時間タイマが初期値に設定されるので、正確な時間を計測することができる。
【０１６１】
リール回転時間タイマに初期値が設定されると、今回の停止指令が第１停止指令か否か、すなわち３つのリール３２Ｌ，３２Ｍ，３２Ｒ全てが回転しているときにストップスイッチ４２〜４４が押下操作されたか否かを判定し（Ｓ７１４）、第１停止指令の場合には（Ｓ７１４：Ｙｅｓ）、スベリテーブル変更処理を行う（Ｓ７１５）。このスベリテーブル変更処理（Ｓ７１５）では、例えば当選した有効ライン上で役を揃えようとしたときに役の複合が発生するか否かを判定し、役の複合が発生しないときにはそのまま次のステップに移行し、役の複合が発生するときには当選した有効ラインを別の有効ラインに変更すると共に変更後の有効ラインに合ったスベリテーブルに変更した後に次のステップに移行する。なお、スベリテーブル変更処理（Ｓ７１５）は役の複合を回避するとき以外にも行われることがある。
【０１６２】
一方、Ｓ７１４の処理で今回の停止指令が第１停止指令でないと判定された場合には（Ｓ７１４：Ｎｏ）、第２停止指令か否か、つまり３つのリール３２Ｌ，３２Ｍ，３２Ｒのうち１のリールが停止し他の２のリールが回転しているときに、他の回転しているリールに対応したストップスイッチ４２〜４４が押下操作されたか否かを判定する（Ｓ７１６）。
【０１６３】
その結果、第２停止指令のときには（Ｓ７１６：Ｙｅｓ）、２のリールが停止した状態となるので、その時の停止表示された図柄を判定するために停止目判定処理を行う（Ｓ７１７）。この停止目判定処理（Ｓ７１７）では、２つのリールが停止している場合にその２つが「７」図柄等のボーナス図柄で揃っているか否かを判定し、揃っていないときにはそのまま次のステップに移行し、揃っているときにはスピーカ６４から効果音等を発生させた後に次のステップに移行する。なお、停止目判定処理ではボーナス図柄が２つ揃う以外の別の条件が成立したか否かを判定してもよいし、効果音以外に補助表示部６５を用いた演出を行ってもよい。
【０１６４】
スベリテーブル変更処理（Ｓ７１５）の後、Ｓ７１６の処理において今回の停止指令が第２停止指令でなかったと判定された場合（Ｓ７１６：Ｎｏ）、又は停止目判定処理（Ｓ７１７）の後には、各リール３２Ｌ，３２Ｍ，３２Ｒの全ての回転が停止したか否かを判定する（Ｓ７１８）。いずれかのリールが回転していると判定された場合には（Ｓ７１８：Ｎｏ）、Ｓ７０４に戻ってＳ７０４〜Ｓ７１８までの処理を繰り返し行う。
【０１６５】
全てのリール３２Ｌ，３２Ｍ，３２Ｒの回転が停止したと判定された場合には（Ｓ７１８：Ｙｅｓ）、払出判定処理を行い（Ｓ７１９）、リール制御処理を終了する。払出判定処理では、役が有効ライン上に並んでいるか否かを判定し、役が有効ライン上に並んでいないときにはＲＡＭ１０６の払出予定数格納エリアに０をセットし、一致しているときには払出予定数格納エリアに並んだ役と対応する払出数をセットする。なお、役が有効ライン上に並んでいるときにはその役が当選した役と一致しているか否かを判定し、一致していないときには上部ランプ６３を点滅させる等してエラー表示を行うと共に払出予定数格納エリアに０をセットするよう構成するものとしても良い。
【０１６６】
次に、Ｓ５０６のメダル払出処理について、図２１のフローチャートに基づき説明する。メダル払出処理（Ｓ５０６）では、まず、払出数カウンタがカウントした払出数と、払出予定数格納エリアに格納された払出予定数とが一致しているか否かを判定する（Ｓ８０２）。払出数と払出予定数とが一致していないときには（Ｓ８０２：Ｎｏ）、遊技がクレジットモードにて行われているか否かを判定する（Ｓ８０３）。クレジットモードであるときには（Ｓ８０３：Ｙｅｓ）、クレジットカウンタのカウント値が上限（貯留されているメダル数が５０枚）に達しているか否かを判定する（Ｓ８０４）。上限に達していないときには（Ｓ８０４：Ｎｏ）、クレジットカウンタのカウント値及び払出数をそれぞれ１インクリメントする（Ｓ８０５）。これによりクレジット表示部６１及び払出枚数表示部６２の枚数がそれぞれ１インクリメントされる。
【０１６７】
一方、遊技がダイレクトモードにて行われているとき（Ｓ８０３：Ｎｏ）、またはクレジットカウンタのカウント値が上限に達しているときには（Ｓ８０４：Ｙｅｓ）、Ｓ８０６の処理にてメダル払出用回転板を駆動し、ホッパ装置５１からメダル排出口４９を介してメダル受け皿５０へメダルを払い出す（Ｓ８０６）。また、ホッパ装置５１に取り付けられた払出検出センサ５１ａのメダル検出信号に応じて払出数を１インクリメントする（Ｓ８０７）。これにより払出枚数表示部６２の枚数が１インクリメントされる。Ｓ８０５またはＳ８０７により払出数が１インクリメントされた後には、再びＳ８０１の処理を実行する。
【０１６８】
Ｓ８０２の処理において払出数と払出予定数とが一致したときには（Ｓ８０２：Ｙｅｓ）、Ｓ８０８にてホッパ装置５１のメダル払出用回転板を停止させてから、メダル払出処理（Ｓ５０６）を終了する。なお、払出数や払出枚数表示部６２は、次回スタートレバー４１が操作されたときにリセット（更新）される。
【０１６９】
以上、実施形態に基づき本発明を説明したが、本発明は上記実施形態に何ら限定されるものではなく、本発明の趣旨を逸脱しない範囲内で種々の変形改良が可能であることは容易に推察できるものである。
【０１７０】
例えば、上記実施形態で挙げた数値は一例であり、他の数値を採用することは当然可能である。
【０１７１】
上記実施形態では、第１取込メダル検出センサ２０２及び第２取込メダル検出センサ２０３の２つのセンサを取込用通路４７に設ける場合を説明したが、必ずしもこれに限られるものではなく、第１取込メダル検出センサ２０２又は第２取込メダル検出センサ２０３のいずれか一方のセンサのみを取込用通路４７に設けても良い。即ち、上記各実施形態では、投入判定処理（Ｓ２１４）において、スロットマシン１０，１０１０に投入されたメダルの数と、ホッパ装置５１に取り込まれたメダルの数と、メダル受け皿５０に排出されたメダルの数との整合性を判断するので、第１取込メダル検出センサ２０２及び第２取込メダル検出センサ２０３の２つのセンサを用いてメダルの取込用通路４７の通過方向を監視しなくても、取込用通路４７に導かれたメダルを針金などでメダル排出口４９から不正に取り出す不正行為を発見することができる。これにより、部品点数を低減して、スロットマシン１０の製品コストを抑制することができる。
【０１７２】
上記実施形態では、弁体３０１の動作（揺動）を排出メダル検出センサ２０４によって検出することにより、排出用通路４８，１０４８を通過するメダルを検出する場合を説明したが、必ずしもこれに限られるものではなく、排出用通路４８，１０４８を通過するメダルを排出メダル検出センサ２０４によって直接検出するように構成しても良い。この場合には、スロットマシン１０の構造を簡素化できると共に、その分、スロットマシン１０の製品コストを抑制することができる。
【０１７３】
上記実施形態では、投入判定処理（Ｓ２１４）において、投入メダル検出センサ２０１の検出信号がＯＮからＯＦＦに変化したと判断される場合に（Ｓ２：Ｙｅｓ）、メダルカウンタ１０６ｃの値を１加算する一方、第２取込メダル検出センサ２０３又は排出メダル検出センサ２０４の検出信号がＯＮからＯＦＦに変化したと判断される場合に（Ｓ６：Ｙｅｓ又はＳ１３：Ｙｅｓ）、メダルカウンタ１０６ｃの値を１減算する場合を説明したが、必ずしもこれに限られるものではなく、例えば、投入メダル検出センサ２０１の検出信号がＯＮからＯＦＦに変化したと判断される場合に（Ｓ２：Ｙｅｓ）、メダルカウンタ１０６ｃの値を１減算する一方、第２取込メダル検出センサ２０３又は排出メダル検出センサ２０４の検出信号がＯＮからＯＦＦに変化したと判断される場合に（Ｓ６：Ｙｅｓ又はＳ１３：Ｙｅｓ）、メダルカウンタ１０６ｃの値を１加算して、スロットマシン１０，１０１０に投入されたメダルの数と、ホッパ装置５１に取り込まれたメダルの数と、メダル受け皿５０に排出されたメダルの数との整合性を判断しても良い。
【０１７４】
上記実施形態では説明を省略したが、投入判定処理（Ｓ２１４）において、メダル数判定用タイマ１０６ａの値が０でないと判断される場合には（Ｓ１６：Ｎｏ）、ホッパ装置５１の駆動を停止して、メダルの精算を中止するように構成しても良い。即ち、メダル数判定用タイマ１０６ａの値が０でないと判断される場合には（Ｓ１６：Ｎｏ）、メダル投入口４５から最後にメダルが投入されてから約５ｓｅｃ以上経過しておらず、最後に投入されたメダルが未だ排出メダル検出センサ２０４によって検出されていない可能性があると判断されるので、メダル数判定用タイマ１０６ａの値が０となるまで、メダルの精算を中止する。これにより、規定外のメダルが投入され、最後に投入された規定外のメダルが排出メダル検出センサ２０４によって検出されるまでに精算スイッチ５９が操作された場合に、規定外のメダルにも関わらず、メダルが投入されたという事実のみで、投入されたメダルの数に対応してメダルを精算してしまうことを防止することができる。
【０１７５】
上記実施形態では、投入メダル検出センサ２０１、第１及び第２取込メダル検出センサ２０２，２０３、排出メダル検出センサ２０４がそれぞれ主制御装置１０１に接続され、メイン基板としての主制御装置１０１によって、スロットマシン１０に投入されたメダルの数と、ホッパ装置５１に取り込まれたメダルの数と、メダル受け皿５０に排出されたメダルの数との整合性を判断する場合を説明したが、必ずしもこれに限られるものではなく、例えば、各メダル検出センサ２０１，２０２，２０３，２０４を表示制御装置８１に接続して、サブ基板としての表示制御装置８１によって整合性を判断するように構成しても良い。或いは、例えば、投入メダル検出センサ２０１を主制御装置１０１に、他のメダル検出センサ２０２，２０３，２０４を表示制御装置８１に、それぞれ接続して、主制御装置１０１と表示制御装置８１とを組み合わせて整合性を判断するように構成しても良い。
【０１７６】
上記各実施の形態では、排出メダル検出センサ２０４がホッパ装置５１からのメダルの排出口となる開口４８ａよりも下流側に設けられる場合を説明したが、必ずしもこれに限られるものではなく、ホッパ装置５１からのメダルの排出口となる開口４８ａよりも上流側に排出メダル検出センサ２０４を設けても良い。
【０１７７】
以下に、本発明の遊技機に加えて、上記実施形態に含まれる各種発明の概念を示す。
【０１７８】
遊技媒体が投入される投入部と、その投入部から投入された前記遊技媒体を検出する第１検出手段と、その第１検出手段の下流に設けられ、前記投入部に投入された前記遊技媒体の流下経路を、前記遊技媒体を機内に取り込む取込用経路または機外に排出する排出用経路のいずれかの経路に切り替える経路切替手段と、前記取込用経路を通過する前記遊技媒体を検出する第２検出手段と、前記排出用経路を通過する前記遊技媒体を検出する第３検出手段と、前記第１検出手段と前記第２検出手段と前記第３検出手段との検出結果に基づいて、前記投入部から投入された前記遊技媒体の数と前記取込用経路を通過して機内に取り込まれる前記遊技媒体の数と前記排出用経路を通過して機外に排出される前記遊技媒体の数との整合性を判断する判断手段とを備えていることを特徴とする遊技機Ａ１。
【０１７９】
遊技機Ａ１によれば、投入部から投入された遊技媒体は第１検出手段によって検出された後、その第１検出手段の下流に設けられた経路切替手段によって取込用経路または排出用経路のいずれかの経路へと導かれる。そして、取込用経路を通過する遊技媒体は第２検出手段によって検出され、排出用経路を通過する遊技媒体は第３検出手段によって検出される。また、第１検出手段と第２検出手段と第３検出手段との検出結果に基づいて、投入部から投入された遊技媒体の数と取込用経路を通過して機内に取り込まれる遊技媒体の数と排出用経路を通過して機外に排出される遊技媒体の数との整合性が判断手段によって判断される。
【０１８０】
ここで、投入部から投入された遊技媒体が経路切替手段によって取込用経路または排出用経路のいずれかの経路へと導かれ、正常に取込用経路または排出用経路を通過した場合には、第２検出手段または第３検出手段のいずれか一方によって遊技媒体が検出される。これに対し、経路切替手段によって遊技媒体が取込用経路に導かれ、取込用経路を通過する遊技媒体が第２検出手段によって検出された後、即ち、機内への遊技媒体の取り込みが認識された後、取込用経路に導かれた遊技媒体を針金などで排出用経路に誘導して不正に機外に取り出した場合には、排出用経路を通過する遊技媒体が第３検出手段によって検出され、第２検出手段および第３検出手段の両方によって遊技媒体が検出される。従って、この場合には、判断手段によって判断される整合性、即ち、投入部から投入された遊技媒体の数と取込用経路を通過して機内に取り込まれる遊技媒体の数と排出用経路を通過して機外に排出される遊技媒体の数との整合性に矛盾が生じる。よって、取込用経路に導かれた遊技媒体を不正に機外に取り出す不正行為を発見することができる。これにより、かかる不正行為を抑制することができる。
【０１８１】
遊技機Ａ１において、前記排出用経路に設けられ、前記排出用経路の上流側に付勢されて前記排出用経路を閉鎖可能かつ前記排出用経路を通過する前記遊技媒体の自重により動作して前記排出用経路を開放可能に構成される弁体を備え、前記第３検出手段は、前記弁体の動作を検出することにより前記排出用経路を通過する前記遊技媒体を検出可能に構成されていることを特徴とする遊技機Ａ２。
【０１８２】
遊技機Ａ２によれば、排出用経路を閉鎖する弁体を備えているので、排出用経路への針金などの挿入を困難として、機内に対して行われる不正行為（例えば、取込用経路に導かれた遊技媒体を針金などで排出用経路に誘導して不正に機外に取り出す不正行為）を防止することができる。また、第３検出手段は、弁体の動作を検出することにより排出用経路を通過する遊技媒体を検出可能に構成されているので、弁体によって排出用経路を通過する遊技媒体の勢いを減じて、排出用経路を通過する遊技媒体の検出漏れを抑制することができ、第３検出手段による遊技媒体の検出不良を低減することができる。更に、弁体は排出用経路の上流側に付勢されて排出用経路を閉鎖する一方、排出用経路を通過する遊技媒体の自重により動作して排出用経路を開放可能に構成されているので、１の遊技媒体が弁体を通過する毎に、弁体が排出用経路を１度だけ開閉する。これにより、遊技媒体を１つずつ確実に第３検出手段によって検出することができる。
【０１８３】
なお、「排出用経路を閉鎖可能」とは、排出用経路の経路断面の全てを閉塞する場合のみに限られず、弁体を格子状に構成することで、排出用経路の経路断面を部分的に塞ぐ場合を含む趣旨である。
【０１８４】
遊技機Ａ２において、前記排出用経路を介して前記遊技媒体を遊技者に払い出す払出手段を備え、前記弁体は、前記払出手段から前記排出用経路への前記遊技媒体の払出口の下流に設けられていることを特徴とする遊技機Ａ３。
【０１８５】
遊技機Ａ３によれば、弁体は、払出手段から排出用経路への遊技媒体の払出口の下流に設けられているので、遊技媒体を遊技者に払い出す払出手段に対する不正行為（例えば、払出手段を針金などで操作して遊技媒体を不正に払い出す不正行為）を弁体によって防止することができる。
【０１８６】
遊技機Ａ２又はＡ３において、前記弁体は、前記排出用経路を閉鎖した状態から、前記排出用経路の上流側への開放が規制されるように構成されていることを特徴とする遊技機Ａ４。
【０１８７】
遊技機Ａ４によれば、弁体は、排出用経路を閉鎖した状態から、排出用経路の上流側への開放が規制されるように構成されているので、排出用経路の下流側から排出用経路に針金などを押し入れることを不可能にして、排出用経路への針金などの挿入を困難とすることができる。
【０１８８】
遊技機Ａ２からＡ４において、前記弁体の上流に設けられ、回転可能に構成されると共に前記遊技媒体を１つずつ受け入れ可能な凹部を有し、回転することにより前記凹部に受け入れた前記遊技媒体を１つずつ前記弁体に送り出す回転体を備えていることを特徴とする遊技機Ａ５。
【０１８９】
遊技機Ａ５によれば、遊技媒体を１つずつ受け入れ可能な凹部を有し、その凹部に受け入れた遊技媒体を１つずつ弁体に送り出す回転体を備えているので、遊技媒体が排出用経路を連なって通過する場合でも、第３検出手段によって遊技媒体を１つずつ確実に検出することができる。これにより、排出用経路を通過する遊技媒体の検出漏れを抑制して、第３検出手段による遊技媒体の検出不良を低減することができる。
【０１９０】
遊技機Ａ５において、前記回転体と前記弁体とは、前記回転体の凹部に前記遊技媒体を受け入れた状態において、前記凹部に受け入れた前記遊技媒体が前記凹部と前記弁体とに当接可能な相対位置で配置されていることを特徴とする遊技機Ａ６。
【０１９１】
遊技機Ａ６によれば、回転体と弁体とは、回転体の凹部に遊技媒体を受け入れた状態において、凹部に受け入れた遊技媒体が凹部と弁体とに当接可能な相対位置で配置されているので、弁体が排出用経路の上流側に付勢されていることと相まって、凹部に受け入れた遊技媒体が凹部と弁体との間に挟まれて回転体の回転を規制する。これにより、遊技媒体が弁体に到達する都度、回転体の回転を一時的に停止できるので、遊技媒体が排出用経路に連なって存在する状態であっても、遊技媒体を１つずつ確実に弁体に送り出すことができる。また、凹部と弁体との間に遊技媒体が挟まれるので、その遊技媒体に連なって排出用経路の後方に存在する遊技媒体の勢いも減じることができる。
【０１９２】
遊技機Ａ６において、前記回転体の凹部は、前記遊技媒体の外形形状に対応した断面形状に形成されていることを特徴とする遊技機Ａ７。
【０１９３】
遊技機Ａ７によれば、回転体の凹部は遊技媒体の外形形状に対応した断面形状に形成されているので、遊技媒体を常に一定の姿勢で弁体に送り出すことができる。これにより、弁体の動作範囲を常に一定とすることができるので、第３検出手段によって遊技媒体を確実に検出することができ、排出用経路を通過する遊技媒体の検出漏れを抑制して、第３検出手段による遊技媒体の検出不良を低減することができる。このように、弁体の動作範囲を常に一定とすることは、弁体の動作を検出する第３検出手段の構成においては、特に有効となる。
【０１９４】
なお、回転体の凹部の断面形状は、遊技媒体を一定の起立した状態に保つ形状とすることが好ましい。この場合には、弁体の動作が最も大きくなるので、第３検出手段によって遊技媒体を確実に検出することができる。
【０１９５】
遊技機Ａ２からＡ７において、前記第３検出手段は、前記弁体によって前記排出用経路が閉鎖された状態では、前記排出用経路が閉鎖されていることを示す信号を継続して出力するように構成されていることを特徴とする遊技機Ａ８。
【０１９６】
遊技機Ａ８によれば、第３検出手段は、弁体によって排出用経路が閉鎖された状態では、排出用経路が閉鎖されていることを示す信号を継続して出力するように構成されているので、第３検出手段の電気配線が取り外された場合や第３検出手段の電気配線が切断された場合には、かかる信号の出力が遮断されることにより、第３検出手段に対する不正行為を早期に発見することができる。これにより、第３検出手段に不正を施して、取込用経路に導かれた遊技媒体を針金などで排出用経路に誘導して不正に機外に取り出す不正行為を抑制することができる。
【０１９７】
遊技機Ａ２からＡ８において、前記弁体は、前記排出用経路の外部へ向けて突出する突起部を備え、前記第３検出手段は、前記排出用経路の外部に設けられ、前記突起部を介して前記弁体の動作を検出するように構成されていることを特徴とする遊技機Ａ９。
【０１９８】
遊技機Ａ９によれば、第３検出手段は排出用経路の外部に設けられているので、排出用経路からの第３検出手段への接触を困難として、第３検出手段の電気配線を不正に取り外したり第３検出手段の電気配線を不正に切断する等の第３検出手段に対する不正行為を抑制することができる。これにより、第３検出手段に不正を施して、取込用経路に導かれた遊技媒体を針金などで排出用経路に誘導して機外に取り出す不正行為を抑制することができる。
【０１９９】
遊技機Ａ１からＡ９において、前記第１検出手段により前記遊技媒体が検出されてから所定時間が経過したかを判断する経過時間判断手段を備え、前記判断手段は、前記経過時間判断手段により所定時間が経過したと判断される場合に、前記投入部から投入された前記遊技媒体の数と前記取込用経路を通過して機内に取り込まれる前記遊技媒体の数と前記排出用経路を通過して機外に排出される前記遊技媒体の数との整合性を判断することを特徴とする遊技機Ａ１０。
【０２００】
遊技機Ａ１０によれば、経過時間判断手段によって、第１検出手段により遊技媒体が検出されてから所定時間が経過したと判断される場合に、判断手段によって、投入部から投入された遊技媒体の数と取込用経路を通過して機内に取り込まれる遊技媒体の数と排出用経路を通過して機外に排出される遊技媒体の数との整合性を判断するので、判断手段による整合性の判断精度を向上させることができる。即ち、投入部から最後に遊技媒体が投入されてから所定時間が経過していない場合には、最後に投入された遊技媒体が未だ第３検出手段によって検出されていない可能性があるので、判断手段によって正確に整合性を判断することができない。これに対し、経過時間判断手段により所定時間が経過したと判断されてから判断手段による整合性の判断を行うことで、投入部に最後に投入された遊技媒体が確実に第３検出手段によって検出された後に判断手段によって整合性を判断することができる。
【０２０１】
なお、「経過時間判断手段」としては、図１５に示す投入判定処理（Ｓ２１４）のフローチャートにおけるＳ１６の処理が該当する。
【０２０２】
遊技機Ａ２からＡ１０において、前記第３検出手段の検出結果に基づいて、前記弁体が所定時間よりも長く開放されているかを判断する開放判断手段と、その開放判断手段により前記弁体が所定時間よりも長く開放されていると判断される場合に、前記弁体が開放されていることを報知する開放報知手段とを備えていることを特徴とする遊技機Ａ１１。
【０２０３】
遊技機Ａ１１によれば、開放判断手段によって、弁体が所定時間よりも長く開放されていると判断される場合には、排出用経路に針金などが挿入されて弁体が不正に開放されている可能性があるので、報知手段によって弁体が開放されていることを報知することにより、取込用経路に導かれた遊技媒体を針金などで排出用経路に誘導して不正に取り出す不正行為を抑制することができる。
【０２０４】
なお、「開放判断手段」としては、図１５に示す投入判定処理（Ｓ２１４）のフローチャートにおけるＳ１２の処理が該当し、「開放報知手段」としては、図１５に示す投入判定処理（Ｓ２１４）のフローチャートにおけるＳ２１の処理が該当する。
【０２０５】
遊技機Ａ１からＡ１１において、前記判断手段による整合性の判断の結果、前記取込用経路を通過して機内に取り込まれる前記遊技媒体の数と前記排出用経路を通過して機外に排出される前記遊技媒体の数との合算が、前記投入部から投入された前記遊技媒体の数よりも少ないと判断される場合に、前記遊技媒体が機内に過剰に取り込まれたことを報知する取込過剰報知手段を備えていることを特徴とする遊技機Ａ１２。
【０２０６】
遊技機Ａ１２によれば、取込過剰報知手段によって、遊技媒体が機内に過剰に取り込まれること（遊技機に投入された遊技媒体が正常に認識されずに機内に取り込まれること）を報知することにより、遊技者に不利益を与えることを防止することができる。
【０２０７】
なお、「取込過剰報知手段」としては、図１５に示す投入判定処理（Ｓ２１４）のフローチャートにおけるＳ１９の処理が該当する。
【符号の説明】
【０２０８】
１          スロットマシン（遊技機）
４５        メダル投入口（投入部）
４６        セレクタ（経路切替手段）
４７        取込用通路（取込用経路の一部）
４８        排出用通路（排出用経路の一部）
４８ａ      開口（払出口）
４８ｂ      メダル排出通路（排出用経路の一部）
４９        メダル排出口（排出用経路の一部）
５１        ホッパ装置（払出手段）
５３        払出装置（払出手段の一部）
２０１      投入メダル検出センサ（第１検出手段）
２０２      第１取込メダル検出センサ（第２検出手段）
２０３      第２取込メダル検出センサ（第２検出手段）
２０４      排出メダル検出センサ（第３検出手段）
３０１      弁体
３０１ｂ    突起部
４０１      回転体
４０１ａ    凹部
Ｓ２１４    投入判定手段（判断手段）
【図１】
0005423249.tif 000002
【図２】
0005423249.tif 000003
【図３】
0005423249.tif 000004
【図４】
0005423249.tif 000005
【図５】
0005423249.tif 000006
【図６】
0005423249.tif 000007
【図７】
0005423249.tif 000008
【図８】
0005423249.tif 000009
【図９】
0005423249.tif 000010
【図１０】
0005423249.tif 000011
【図１１】
0005423249.tif 000012
【図１２】
0005423249.tif 000013
【図１３】
0005423249.tif 000014
【図１４】
0005423249.tif 000015
【図１５】
0005423249.tif 000016
【図１６】
0005423249.tif 000017
【図１７】
0005423249.tif 000018
【図１８】
0005423249.tif 000019
【図１９】
0005423249.tif 000020
【図２０】
0005423249.tif 000021
【図２１】
0005423249.tif 000022